(57)【特許請求の範囲】
【請求項１】
ワイヤレスネットワークにおいて初期化された発展型パケットシステム（ＥＰＳ）ベアラに関するパラメータを備えるベアラセットアップ要求を受信することと、
前記ＥＰＳベアラとの間でデータを通信することを可能にするためにダウンストリームリレー進化型ノードＢ（ｅＮＢ）の無線ベアラを選択することと、
前記無線ベアラを使用して、前記ＥＰＳベアラを介して受信されたデータを前記ダウンストリームリレーｅＮＢに送信することと
を備える、方法。
【請求項２】
前記選択された無線ベアラの通知を前記ダウンストリームリレーｅＮＢに送信することをさらに備える、請求項１に記載の方法。
【請求項３】
前記通知を送信することは、ＲＲＣ接続再構成メッセージ中で前記通知を送信することを含む、請求項２に記載の方法。
【請求項４】
前記ＥＰＳベアラへの前記選択された無線ベアラの関連付けを記憶することをさらに備える、請求項１に記載の方法。
【請求項５】
前記無線ベアラを前記選択することは、ベストエフォートマッチに従って前記無線ベアラを選択することを含む、請求項１に記載の方法。
【請求項６】
前記ＥＰＳベアラのサービス品質（ＱｏＳ）クラス識別子（ＱＣＩ）を受信することをさらに備え、前記無線ベアラを前記選択することは前記ＥＰＳベアラの前記ＱＣＩに少なくとも部分的に基づく、請求項１に記載の方法。
【請求項７】
前記ＱＣＩを前記ダウンストリームリレーｅＮＢに与えることをさらに備える、請求項６に記載の方法。
【請求項８】
前記ＥＰＳベアラとの関連付けのために、アップストリームｅＮＢによって選択されたローカル無線ベアラの通知を受信することをさらに備える、請求項１に記載の方法。
【請求項９】
発展型パケットシステム（ＥＰＳ）ベアラに関係するパラメータを含むベアラセットアップ要求を取得することと、
前記ＥＰＳベアラとの関連付けのために、ダウンストリーム進化型ノードＢ（ｅＮＢ）の無線ベアラを選択することと、
前記ＥＰＳベアラを介して受信されたデータを、前記無線ベアラを介して前記ダウンストリームｅＮＢに送信することと
を行うように構成された少なくとも１つのプロセッサと、
前記少なくとも１つのプロセッサに結合されたメモリと
を備える、ワイヤレス通信装置。
【請求項１０】
前記少なくとも１つのプロセッサは、前記無線ベアラのための識別子を前記ダウンストリームｅＮＢに送信するようにさらに構成された、請求項９に記載のワイヤレス通信装置。
【請求項１１】
前記少なくとも１つのプロセッサは、ＲＲＣ接続再構成メッセージ中で前記識別子を送信する、請求項１０に記載のワイヤレス通信装置。
【請求項１２】
前記少なくとも１つのプロセッサは、前記選択された無線ベアラと前記ＥＰＳベアラとの間の後続のパケットルーティングのために、前記ＥＰＳベアラへの前記選択された無線ベアラの関連付けを記憶するようにさらに構成された、請求項９に記載のワイヤレス通信装置。
【請求項１３】
前記少なくとも１つのプロセッサは、ベストエフォートマッチに従って前記ダウンストリームｅＮＢの前記無線ベアラを選択する、請求項９に記載のワイヤレス通信装置。
【請求項１４】
前記少なくとも１つのプロセッサは、前記ＥＰＳベアラのサービス品質（ＱｏＳ）クラス識別子（ＱＣＩ）を受信するようにさらに構成され、前記少なくとも１つのプロセッサは、前記ＥＰＳベアラの前記ＱＣＩに少なくとも部分的に基づいて前記無線ベアラを選択する、請求項９に記載のワイヤレス通信装置。
【請求項１５】
前記少なくとも１つのプロセッサは、前記ＱＣＩを前記ダウンストリームｅＮＢに与えるようにさらに構成された、請求項１４に記載のワイヤレス通信装置。
【請求項１６】
前記少なくとも１つのプロセッサは、前記ＥＰＳベアラとの関連付けのために、アップストリームｅＮＢによって選択されたローカル無線ベアラの通知を受信するようにさらに構成された、請求項９に記載のワイヤレス通信装置。
【請求項１７】
ワイヤレスネットワークにおいて初期化された発展型パケットシステム（ＥＰＳ）ベアラに関するパラメータを備えるベアラセットアップ要求を受信するための手段と、
前記ＥＰＳベアラとの間でデータを通信することを可能にするためにダウンストリームリレー進化型ノードＢ（ｅＮＢ）の無線ベアラを選択するための手段と、
前記無線ベアラを使用して、前記ＥＰＳベアラを介して受信されたデータを前記ダウンストリームリレーｅＮＢに送信するための手段と
を備える、装置。
【請求項１８】
前記選択された無線ベアラの通知を前記ダウンストリームリレーｅＮＢに通信するための手段をさらに備える、請求項１７に記載の装置。
【請求項１９】
前記通知を通信するための前記手段は、ＲＲＣ接続再構成メッセージ中で前記通知を送信する、請求項１８に記載の装置。
【請求項２０】
前記ＥＰＳベアラへの前記選択された無線ベアラの関連付けを記憶するための手段をさらに備える、請求項１７に記載の装置。
【請求項２１】
選択するための前記手段は、ベストエフォートマッチに従って前記無線ベアラを選択する、請求項１７に記載の装置。
【請求項２２】
前記ベアラセットアップ要求を受信するための前記手段は、前記ベアラセットアップ要求中の前記ＥＰＳベアラのサービス品質（ＱｏＳ）クラス識別子（ＱＣＩ）をさらに受信し、選択するための前記手段は、前記ＥＰＳベアラの前記ＱＣＩに少なくとも部分的に基づいて前記無線ベアラを選択する、請求項１７に記載の装置。
【請求項２３】
前記ＱＣＩを前記ダウンストリームリレーｅＮＢに与えるための手段をさらに備える、請求項２２に記載の装置。
【請求項２４】
前記ＥＰＳベアラとの関連付けのために、アップストリームｅＮＢによって選択されたローカルベアラの通知を受信するための手段をさらに備える、請求項１７に記載の装置。
【請求項２５】
少なくとも１つのコンピュータに、ワイヤレスネットワークにおいて初期化された発展型パケットシステム（ＥＰＳ）ベアラに関するパラメータを備えるベアラセットアップ要求を受信させるためのコードと、
前記少なくとも１つのコンピュータに、前記ＥＰＳベアラとの間でデータを通信することを可能にするためにダウンストリームリレー進化型ノードＢ（ｅＮＢ）の無線ベアラを選択させるためのコードと、
前記少なくとも１つのコンピュータに、前記無線ベアラを使用して、前記ＥＰＳベアラを介して受信されたデータを前記ダウンストリームリレーｅＮＢに送信させるためのコードと
が記憶されたコンピュータ読取可能な記憶媒体。
【請求項２６】
前記少なくとも１つのコンピュータに、前記選択された無線ベアラの通知を前記ダウンストリームリレーｅＮＢに送信させるためのコードがさらに記憶された、請求項２５に記載の記憶媒体。
【請求項２７】
前記少なくとも１つのコンピュータに前記通知を送信させるための前記コードは、ＲＲＣ接続再構成メッセージ中で前記通知を送信する、請求項２６に記載の記憶媒体。
【請求項２８】
前記少なくとも１つのコンピュータに、前記ＥＰＳベアラへの前記選択された無線ベアラの関連付けを記憶させるためのコードがさらに記憶された、請求項２５に記載の記憶媒体。
【請求項２９】
前記少なくとも１つのコンピュータに前記無線ベアラを選択させるための前記コードは、ベストエフォートマッチに従って前記無線ベアラを選択する、請求項２５に記載の記憶媒体。
【請求項３０】
前記少なくとも１つのコンピュータに、前記ＥＰＳベアラのサービス品質（ＱｏＳ）クラス識別子（ＱＣＩ）を受信させるためのコードがさらに記憶され、
前記少なくとも１つのコンピュータに前記無線ベアラを選択させるための前記コードは、前記ＥＰＳベアラの前記ＱＣＩに少なくとも部分的に基づいて前記無線ベアラを選択する、請求項２５に記載の記憶媒体。
【請求項３１】
前記少なくとも１つのコンピュータに、前記ＱＣＩを前記ダウンストリームリレーｅＮＢに与えさせるためのコードがさらに記憶された、請求項３０に記載の記憶媒体。
【請求項３２】
前記少なくとも１つのコンピュータに、前記ＥＰＳベアラとの関連付けのために、アップストリームｅＮＢによって選択されたローカル無線ベアラの通知を受信させるためのコードがさらに記憶された、請求項２５に記載の記憶媒体。
【請求項３３】
ワイヤレスネットワークにおいて初期化された発展型パケットシステム（ＥＰＳ）ベアラに関するパラメータを備えるベアラセットアップ要求を受信するバックホールリンク構成要素と、
前記ＥＰＳベアラとの間でデータを通信することを可能にするためにダウンストリームリレー進化型ノードＢ（ｅＮＢ）の無線ベアラを選択するリレーベアラ選択構成要素と、
前記無線ベアラを使用して、前記ＥＰＳベアラを介して受信されたデータを前記ダウンストリームリレーｅＮＢに送信するベアラ通信構成要素と
を備える、装置。
【請求項３４】
前記選択された無線ベアラの通知を前記ダウンストリームリレーｅＮＢに通信するベアラ選択通知構成要素をさらに備える、請求項３３に記載の装置。
【請求項３５】
前記ベアラ通信構成要素は、ＲＲＣ接続再構成メッセージ中で前記通知を送信する、請求項３４に記載の装置。
【請求項３６】
前記ＥＰＳベアラへの前記選択された無線ベアラの関連付けを記憶するベアラマッピング構成要素をさらに備える、請求項３３に記載の装置。
【請求項３７】
前記リレーベアラ選択構成要素が、ベストエフォートマッチに従って前記無線ベアラを選択する、請求項３３に記載の装置。
【請求項３８】
前記バックホールリンク構成要素は、前記ベアラセットアップ要求中の前記ＥＰＳベアラのサービス品質（ＱｏＳ）クラス識別子（ＱＣＩ）をさらに受信し、前記リレーベアラ選択構成要素は、前記ＥＰＳベアラの前記ＱＣＩに少なくとも部分的に基づいて前記無線ベアラを選択する、請求項３３に記載の装置。
【請求項３９】
前記ＱＣＩを前記ダウンストリームリレーｅＮＢに与えるベアラ選択通知構成要素をさらに備える、請求項３８に記載の装置。
【請求項４０】
前記ＥＰＳベアラとの関連付けのために、アップストリームｅＮＢによって選択されたローカルベアラの通知を取得するベアラ選択受信構成要素をさらに備える、請求項３３に記載の装置。
【請求項４１】
ローカル無線ベアラへの発展型パケットシステム（ＥＰＳ）ベアラの関連付けのための情報を受信することと、
前記関連付けのための情報をルーティングテーブルに記憶することと、
前記ローカル無線ベアラを介して、アップストリーム進化型ノードＢ（ｅＮＢ）から前記ＥＰＳベアラに関係するデータを受信することと
を備える、方法。
【請求項４２】
前記関連付けのための情報を前記受信することは、前記アップストリームｅＮＢから前記関連付けのための情報を受信することを含む、請求項４１に記載の方法。
【請求項４３】
前記関連付けのための情報とともに、前記アップストリームｅＮＢから前記ＥＰＳベアラに関係する識別子の一部分を受信することをさらに備える、請求項４２に記載の方法。
【請求項４４】
前記関連付けのための情報を前記記憶することは、前記ローカル無線ベアラのインデックスとともに前記識別子の前記一部分を記憶することを含む、請求項４３に記載の方法。
【請求項４５】
前記アップストリームｅＮＢから前記関連付けのための情報を前記受信することは、ＲＲＣ接続再構成メッセージ中で前記関連付けのための情報を受信することを含む、請求項４２に記載の方法。
【請求項４６】
前記ＥＰＳベアラに関係するサービス品質（ＱｏＳ）クラス識別子（ＱＣＩ）を受信することをさらに備え、前記関連付けのための情報を前記受信することは、前記ＥＰＳベアラの前記ＱＣＩに少なくとも部分的に基づいて前記関連付けを判断することを含む、請求項４１に記載の方法。
【請求項４７】
前記ＥＰＳベアラへの関連付けのために、ダウンストリームｅＮＢの無線ベアラを選択することをさらに備える、請求項４１に記載の方法。
【請求項４８】
前記ＥＰＳベアラを直接接続されたユーザ機器（ＵＥ）の無線ベアラに関連付けることをさらに備え、前記ＥＰＳベアラと前記ローカル無線ベアラとの間の前記関連付けのための情報を前記受信することは、前記直接接続されたＵＥから受信された要求に少なくとも部分的に基づく、請求項４１に記載の方法。
【請求項４９】
ローカル無線ベアラへの発展型パケットシステム（ＥＰＳ）ベアラの関連付けのための情報を取得することと、
後続のパケットルーティングのために、前記関連付けのための情報をルーティングテーブルに記憶することと、
前記ローカル無線ベアラを介して、前記ＥＰＳベアラに関係するアップストリーム進化型ノードＢ（ｅＮＢ）からデータを受信することと
を行うように構成された少なくとも１つのプロセッサと、
前記少なくとも１つのプロセッサに結合されたメモリと
を備える、ワイヤレス通信装置。
【請求項５０】
前記少なくとも１つのプロセッサは前記アップストリームｅＮＢから前記関連付けのための情報を取得する、請求項４９に記載のワイヤレス通信装置。
【請求項５１】
前記少なくとも１つのプロセッサは、前記関連付けのための情報とともに、前記ＥＰＳベアラに関係する識別子の一部分を受信するようにさらに構成された、請求項５０に記載のワイヤレス通信装置。
【請求項５２】
前記少なくとも１つのプロセッサは、前記関連付けのための情報とともに、前記識別子を前記ルーティングテーブルに記憶するようにさらに構成された、請求項５１に記載のワイヤレス通信装置。
【請求項５３】
前記少なくとも１つのプロセッサは、ＲＲＣ接続再構成メッセージ中で、前記アップストリームｅＮＢから前記関連付けのための情報を受信する、請求項５０に記載のワイヤレス通信装置。
【請求項５４】
前記少なくとも１つのプロセッサは、前記ＥＰＳベアラのサービス品質（ＱｏＳ）クラス識別子（ＱＣＩ）を受信するようにさらに構成され、前記少なくとも１つのプロセッサは、ローカル無線ベアラへのＱＣＩの静的マッピングにおいて前記ＱＣＩに関係する前記ローカル無線ベアラを判断したことに少なくとも部分的に基づいて、前記関連付けのための情報を取得する、請求項４９に記載のワイヤレス通信装置。
【請求項５５】
前記少なくとも１つのプロセッサは、前記ＥＰＳベアラへの関連付けのためにダウンストリームｅＮＢの無線ベアラを選択するようにさらに構成された、請求項４９に記載のワイヤレス通信装置。
【請求項５６】
前記少なくとも１つのプロセッサは、前記ＥＰＳベアラを直接接続されたユーザ機器（ＵＥ）の無線ベアラに関連付けるようにさらに構成され、前記少なくとも１つのプロセッサは、前記直接接続されたＵＥからの要求に少なくとも部分的に基づいて前記関連付けのための情報を取得する、請求項４９に記載のワイヤレス通信装置。
【請求項５７】
ローカル無線ベアラへの発展型パケットシステム（ＥＰＳ）ベアラの関連付けのための情報を受信するための手段と、
前記関連付けのための情報をルーティングテーブルに記憶するための手段と、
前記ローカル無線ベアラを介して、アップストリーム進化型ノードＢ（ｅＮＢ）から前記ＥＰＳベアラに関係するデータを受信するための手段と
を備える、装置。
【請求項５８】
前記関連付けのための情報を受信するための前記手段は、前記アップストリームｅＮＢから前記関連付けのための情報を受信する、請求項５７に記載の装置。
【請求項５９】
前記関連付けのための情報を受信するための前記手段は、前記ＥＰＳベアラに関係する識別子をさらに受信する、請求項５８に記載の装置。
【請求項６０】
前記関連付けのための情報を記憶するための前記手段は、前記関連付けのための情報とともに、前記ＥＰＳベアラに関係する前記識別子を記憶する、請求項５９に記載の装置。
【請求項６１】
前記関連付けのための情報を受信するための前記手段は、ＲＲＣ接続再構成メッセージ中で前記関連付けのための情報を受信する、請求項５８に記載の装置。
【請求項６２】
前記関連付けのための情報を受信するための前記手段は、前記ＥＰＳベアラに関係するサービス品質（ＱｏＳ）クラス識別子（ＱＣＩ）に基づいて前記関連付けを判断する、請求項５７に記載の装置。
【請求項６３】
前記ＥＰＳベアラへの関連付けのために、ダウンストリームｅＮＢの無線ベアラを選択するための手段をさらに備える、請求項５７に記載の装置。
【請求項６４】
前記関連付けのための情報を受信するための前記手段は、前記装置と直接通信しているユーザ機器（ＵＥ）からの要求に少なくとも部分的に基づいて前記関連付けのための情報を受信する、請求項５７に記載の装置。
【請求項６５】
少なくとも１つのコンピュータに、ローカル無線ベアラへの発展型パケットシステム（ＥＰＳ）ベアラの関連付けのための情報を受信させるためのコードと、
前記少なくとも１つのコンピュータに、前記関連付けのための情報をルーティングテーブルに記憶させるためのコードと、
前記少なくとも１つのコンピュータに、前記ローカル無線ベアラを介して、アップストリーム進化型ノードＢ（ｅＮＢ）から前記ＥＰＳベアラに関係するデータを受信させるためのコードと
が記憶されたコンピュータ読取可能な記憶媒体。
【請求項６６】
前記少なくとも１つのコンピュータに前記関連付けのための情報を受信させるための前記コードは前記アップストリームｅＮＢから前記関連付けのための情報を受信する、請求項６５に記載の記憶媒体。
【請求項６７】
前記少なくとも１つのコンピュータに、前記関連付けのための情報とともに、前記アップストリームｅＮＢから前記ＥＰＳベアラに関係する識別子の一部分を受信させるためのコードがさらに記憶された、請求項６６に記載の記憶媒体。
【請求項６８】
前記少なくとも１つのコンピュータに前記関連付けのための情報を記憶させるための前記コードは、前記ローカル無線ベアラのインデックスとともに前記識別子の前記一部分を記憶する、請求項６７に記載の記憶媒体。
【請求項６９】
前記少なくとも１つのコンピュータに前記アップストリームｅＮＢから前記関連付けのための情報を受信させるための前記コードは、ＲＲＣ接続再構成メッセージ中で前記関連付けのための情報を受信する、請求項６６に記載の記憶媒体。
【請求項７０】
前記少なくとも１つのコンピュータに、前記ＥＰＳベアラに関係するサービス品質（ＱｏＳ）クラス識別子（ＱＣＩ）を受信させるためのコードがさらに記憶され、
前記少なくとも１つのコンピュータに前記関連付けのための情報を受信させるための前記コードは、前記ＥＰＳベアラの前記ＱＣＩに少なくとも部分的に基づいて前記関連付けを判断する、請求項６５に記載の記憶媒体。
【請求項７１】
前記少なくとも１つのコンピュータに、前記ＥＰＳベアラへの関連付けのためにダウンストリームｅＮＢの無線ベアラを選択させるためのコードがさらに記憶された、請求項６５に記載の記憶媒体。
【請求項７２】
前記少なくとも１つのコンピュータに、前記ＥＳＰベアラを直接接続されたユーザ機器（ＵＥ）の無線ベアラに関連付けさせるためのコードがさらに記憶され、
前記少なくとも１つのコンピュータに前記ＥＰＳベアラと前記ローカル無線ベアラとの間の前記関連付けのための情報を受信させるための前記コードは、前記直接接続されたＵＥから受信された要求に少なくとも部分的に基づいて前記関連付けのための情報を受信する、請求項６５に記載の記憶媒体。
【請求項７３】
ローカル無線ベアラへの発展型パケットシステム（ＥＰＳ）ベアラの関連付けのための情報を受信するベアラ選択受信構成要素と、
前記関連付けのための情報をルーティングテーブルに記憶するＥＰＳベアラマッピング構成要素と、
前記ローカル無線ベアラを介して、アップストリーム進化型ノードＢ（ｅＮＢ）から前記ＥＰＳベアラに関係するデータを受信するベアラ通信構成要素と
を備える、装置。
【請求項７４】
前記ベアラ選択受信構成要素は、前記アップストリームｅＮＢから前記関連付けのための情報を受信する、請求項７３に記載の装置。
【請求項７５】
前記ベアラ選択受信構成要素は、前記ＥＰＳベアラに関係する識別子をさらに受信する、請求項７４に記載の装置。
【請求項７６】
前記ＥＰＳベアラマッピング構成要素は、前記関連付けのための情報とともに、前記ＥＰＳベアラに関係する前記識別子を記憶する、請求項７５に記載の装置。
【請求項７７】
前記ベアラ選択受信構成要素は、ＲＲＣ接続再構成メッセージ中で前記関連付けのための情報を受信する、請求項７４に記載の装置。
【請求項７８】
前記ベアラ選択受信構成要素は、前記ＥＰＳベアラに関係するサービス品質（ＱｏＳ）クラス識別子（ＱＣＩ）に基づいて前記関連付けを見分けるＥＰＳクラス判断構成要素である、請求項７３に記載の装置。
【請求項７９】
前記ＥＰＳベアラへの関連付けのために、ダウンストリームｅＮＢの無線ベアラを選択するリレーベアラ選択構成要素をさらに備える、請求項７３に記載の装置。
【請求項８０】
前記ベアラ通信構成要素は、前記装置と直接通信しているユーザ機器（ＵＥ）からの要求に少なくとも部分的に基づいて前記関連付けのための情報を受信する、請求項７３に記載の装置。
【発明の詳細な説明】
【優先権の主張】
【０００１】
［３５Ｕ．Ｓ．Ｃ．§１１９の下の優先権の主張］
本特許出願は、本出願の譲受人に譲渡され、参照により本明細書に明確に組み込まれる、２００８年１０月２４日に出願された「CELL RELAY BASE STATION FOR LTE」と題する米国特許仮出願第６１／１０８，２８７号の優先権を主張する。
【技術分野】
【０００２】
以下の説明は、一般にワイヤレス通信に関し、より詳細には、発展型パケットシステム（ＥＰＳ）ベアラを無線ベアラにマッピングすることに関する。
【背景技術】
【０００３】
ワイヤレス通信システムは、たとえばボイス、データなど、様々なタイプの通信コンテンツを提供するために広く展開されている。典型的なワイヤレス通信システムは、使用可能なシステムリソース（たとえば、帯域幅、送信電力、．．．）を共有することによって複数のユーザとの通信をサポートすることが可能な多元接続システム(multiple-access systems)とすることができる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含むことができる。さらに、システムは、第３世代パートナーシッププロジェクト(third generation partnership project)（３ＧＰＰ）、３ＧＰＰロングタームエボリューション(long term evolution)（ＬＴＥ）、ウルトラモバイルブロードバンド(ultra mobile broadband)（ＵＭＢ）などの仕様、および／または進化データ最適化(evolution data optimized)（ＥＶ−ＤＯ）、その１つまたは複数の改訂版などのマルチキャリアワイヤレス仕様に準拠することができる。
【０００４】
一般に、ワイヤレス多元接続通信システムは、複数のモバイルデバイスのための通信を同時にサポートすることができる。各モバイルデバイスは、順方向リンクおよび逆方向リンク上の伝送を介して１つまたは複数のアクセスポイント（たとえば、基地局）と通信することができる。順方向リンク（またはダウンリンク）はアクセスポイントからモバイルデバイスへの通信リンクを指し、逆方向リンク（またはアップリンク）はモバイルデバイスからアクセスポイントへの通信リンクを指す。さらに、モバイルデバイスとアクセスポイントの間の通信は、単一入力単一出力（ＳＩＳＯ）システム、多入力単一出力（ＭＩＳＯ）システム、多入力多出力（ＭＩＭＯ）システムなどを介して確立できる。しかしながら、アクセスポイントは、カバレッジのエッジの近くのモバイルデバイスおよび／または高トラフィックのエリア中のデバイスがアクセスポイントから劣化した通信品質を受けるように、地理的カバレッジエリアと同様にリソースが制限されることがある。
【０００５】
セルリレーは、モバイルデバイスとアクセスポイントとの間の通信を可能にすることによってネットワーク容量およびカバレッジエリアを拡張するために提供され得る。たとえば、セルリレーは、いくつかのセルリレーへのアクセスを提供することができるドナーアクセスポイントとのバックホールリンクを確立することができ、セルリレーは、１つまたは複数のモバイルデバイスまたはさらなるセルリレーとのアクセスリンクを確立することができる。バックエンドコアネットワーク構成要素に対する変更を緩和するために、Ｓ１−Ｕなどの通信インターフェースはドナーアクセスポイントにおいて終了することができる。したがって、ドナーアクセスポイントは、バックエンドネットワーク構成要素にとって通常のアクセスポイントのように見える。この目的で、ドナーアクセスポイントは、モバイルデバイスに通信するためにバックエンドネットワーク構成要素からセルリレーにパケットをルーティングすることができる。しかしながら、セルリレーは、いくつかの発展型パケットシステム（ＥＰＳ）ベアラをサポートしながら、アップストリームセルリレーまたはドナーアクセスポイントと確立することができるいくつかの無線ベアラに限定されることがある。
【発明の概要】
【０００６】
以下は、１つまたは複数の態様の基本的理解を提供するために、そのような態様の簡略化された概要を提示するものである。この概要は、すべての企図された態様の広範囲に及ぶ概説ではなく、すべての態様の主要または重要な要素を識別するものでも、いずれかまたはすべての態様の範囲を定めるものでもない。その唯一の目的は、後で提示される、より詳細な説明の導入として、１つまたは複数の態様のいくつかの概念を簡略化された形で提示することである。
【０００７】
１つまたは複数の態様およびその対応する開示に従って、様々な態様は、複数の発展型パケットシステム（ＥＰＳ）ベアラを１つまたは複数のセルリレーの単一のセルリレー無線ベアラにマッピングすることを可能にすることに関して説明される。特に、アップストリームセルリレーまたはドナーアクセスポイントは、（たとえば、要求側ベアラセットアップに関連して）所与のＥＰＳベアラのためのダウンストリームセルリレーの無線ベアラを指定し、後続のダウンストリームパケットを適切なベアラにルーティングするためにベアラマッピングテーブルを記憶することができる。マッピングは、たとえば、ベストエフォートマッチに従って実行され得る。別の例では、セルリレーの無線ベアラは、ＥＰＳベアラのためのサービス品質（ＱｏＳ）クラス識別子（ＱＣＩ）に基づいてＥＰＳベアラにマッピングされ得る。いずれの場合も、セルリレーまたはドナーアクセスポイントが複数のセルリレーと通信することを可能にするために、複数のＥＰＳベアラを単一の無線ベアラにマッピングする。
【０００８】
関連した態様によれば、ワイヤレスネットワークにおいて初期化されたＥＰＳベアラに関するパラメータを備えるベアラセットアップ要求を受信することを含む方法が提供される。本方法はまた、ＥＰＳベアラとの間でデータを通信することを可能にするためにダウンストリームリレーｅＮＢの無線ベアラを選択することと、無線ベアラを使用して、ＥＰＳベアラを介して受信されたデータをダウンストリームリレーｅＮＢに送信することと、を含む。
【０００９】
別の態様は、ワイヤレス通信装置に関する。本ワイヤレス通信装置は、ＥＰＳベアラに関係するパラメータを含むベアラセットアップ要求を取得するように構成された少なくとも１つのプロセッサを含むことができる。少なくとも１つのプロセッサは、さらに、ＥＰＳベアラとの関連付けのために、ダウンストリームｅＮＢの無線ベアラを選択し、ＥＰＳベアラを介して受信されたデータを、無線ベアラを介してダウンストリームｅＮＢに送信する、ように構成される。本ワイヤレス通信装置はまた、少なくとも１つのプロセッサに結合されたメモリを備える。
【００１０】
さらに別の態様は装置に関する。本装置は、ワイヤレスネットワークにおいて初期化されたＥＰＳベアラに関するパラメータを備えるベアラセットアップ要求を受信するための手段と、ＥＰＳベアラとの間でデータを通信することを可能にするためにダウンストリームリレーｅＮＢの無線ベアラを選択するための手段とを含む。本装置はまた、無線ベアラを使用して、ＥＰＳベアラを介して受信されたデータをダウンストリームリレーｅＮＢに送信するための手段を含む。
【００１１】
さらに別の態様は、少なくとも１つのコンピュータに、ワイヤレスネットワークにおいて初期化されたＥＰＳベアラに関するパラメータを備えるベアラセットアップ要求を受信させるためのコードと、少なくとも１つのコンピュータに、ＥＰＳベアラとの間でデータを通信することを可能にするために、ダウンストリームリレーｅＮＢの無線ベアラを選択させるためのコードと、を含むコンピュータ可読媒体を有することができるコンピュータプログラム製品に関する。コンピュータ可読媒体はまた、少なくとも１つのコンピュータに、無線ベアラを使用して、ＥＰＳベアラを介して受信されたデータをダウンストリームリレーｅＮＢに送信させるためのコードを備えることができる。
【００１２】
さらに、追加の態様は、ワイヤレスネットワークにおいて初期化されたＥＰＳベアラに関するパラメータを備えるベアラセットアップ要求を受信するバックホールリンク構成要素と、ＥＰＳベアラとの間でデータを通信することを可能にするために、ダウンストリームリレーｅＮＢの無線ベアラを選択するリレーベアラ選択構成要素と、を含む装置に関する。本装置は、無線ベアラを使用して、ＥＰＳベアラを介して受信されたデータをダウンストリームリレーｅＮＢに送信するベアラ通信構成要素をさらに含む。
【００１３】
別の態様によれば、ローカル無線ベアラへのＥＰＳベアラの関連付けを受信することと、関連付けをルーティングテーブルに記憶することと、を含む方法が提供される。本方法はまた、ローカル無線ベアラを介して、アップストリームｅＮＢからＥＰＳベアラに関係するデータを受信することを含む。
【００１４】
別の態様は、ワイヤレス通信装置に関する。本ワイヤレス通信装置は、ローカル無線ベアラへのＥＰＳベアラの関連付けを取得し、後続のパケットルーティングのために、関連付けをルーティングテーブルに記憶するように構成された少なくとも１つのプロセッサを含むことができる。少なくとも１つのプロセッサは、ローカル無線ベアラを介して、アップストリームｅＮＢからＥＰＳベアラに関係するデータを受信するようにさらに構成される。本ワイヤレス通信装置はまた、少なくとも１つのプロセッサに結合されたメモリを備える。
【００１５】
さらに別の態様は装置に関する。本装置は、ローカル無線ベアラへのＥＰＳベアラの関連付けを受信するための手段と、関連付けをルーティングテーブルに記憶するための手段とを含む。本装置はまた、ローカル無線ベアラを介して、アップストリームｅＮＢからＥＰＳベアラに関係するデータを受信するための手段を含む。
【００１６】
さらに別の態様は、少なくとも１つのコンピュータにローカル無線ベアラへのＥＰＳベアラの関連付けを受信させるためのコードと、少なくとも１つのコンピュータに関連付けをルーティングテーブルに記憶させるためのコードと、を含むコンピュータ可読媒体を有することができるコンピュータプログラム製品に関する。コンピュータ可読媒体はまた、少なくとも１つのコンピュータに、ローカル無線ベアラを介して、アップストリームｅＮＢからＥＰＳベアラに関係するデータを受信させるためのコードを備えることができる。
【００１７】
さらに、追加の態様は、ローカル無線ベアラへのＥＰＳベアラの関連付けを受信するベアラ選択受信構成要素を含む装置に関する。本装置は、関連付けをルーティングテーブルに記憶するＥＰＳベアラマッピング構成要素と、ローカル無線ベアラを介して、アップストリームｅＮＢからＥＰＳベアラに関係するデータを受信するベアラ通信構成要素とをさらに含むことができる。
【００１８】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【図面の簡単な説明】
【００１９】
【図１】図１は、ワイヤレスネットワークのためのリレーを提供することを容易にする例示的なワイヤレス通信システムの説明図である。
【図２】図２は、複数の発展型パケットシステム（ＥＰＳ）ベアラをダウンストリームリレーノード無線ベアラにマッピングすることを容易にする例示的なワイヤレス通信システムの説明図である。
【図３】図３は、ＥＰＳベアラのクラス識別子に基づいて、複数のＥＰＳベアラをダウンストリームリレーノード無線ベアラにマッピングする例示的なワイヤレス通信システムの説明図である。
【図４】図４は、複数のＥＰＳベアラをリレーｅＮＢの無線ベアラと関連付けることを可能にする例示的なワイヤレス通信システムの説明図である。
【図５】図５は、ワイヤレスネットワークへのアクセスを提供するためにセルリレーを利用する例示的なワイヤレス通信システムの説明図である。
【図６】図６は、ダウンストリームリレーｅＮＢ無線ベアラをＥＰＳベアラに割り当てるための例示的な方法の説明図である。
【図７】図７は、ＥＰＳベアラへのローカル無線ベアラの割当てを受信する例示的な方法の説明図である。
【図８】図８は、ＥＰＳベアラへのローカル無線ベアラの割当てを受信し、ＥＰＳベアラとの関連付けのためにダウンストリームリレーｅＮＢの無線ベアラを選択する例示的な方法の説明図である。
【図９】図９は、本明細書に記載の様々な態様によるワイヤレス通信システムの説明図である。
【図１０】図１０は、本明細書に記載の様々なシステムおよび方法とともに使用できる例示的なワイヤレスネットワーク環境の説明図である。
【図１１】図１１は、ＥＰＳベアラに関連付けるためにダウンストリームリレーｅＮＢ無線ベアラを選択する例示的なシステムの説明図である。
【図１２】図１２は、ＥＰＳベアラへのローカル無線ベアラの関連付けを受信することを容易にする例示的なシステムの説明図である。
【詳細な説明】
【００２０】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施できることは明らかであろう。
【００２１】
本出願で使用する「構成要素（component）」、「モジュール」、「システム」などの用語は、限定はしないが、ハードウェア、ファームウェア、ハードウェアとソフトウェアとの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行形式(executable)、実行スレッド(thread of execution)、プログラム、および／またはコンピュータとすることができるが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、ローカルシステム、分散システム、および／または他のシステムを用いるインターネットなどのネットワーク全体の中の別の構成要素と信号を介して対話する１つの構成要素からのデータなど、１つまたは複数のデータパケットを有する信号によるなど、ローカルプロセスおよび／またはリモートプロセスを介して通信することができる。
【００２２】
さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、パーソナル・デジタル・アシスタント（ＰＤＡ）、ワイヤレス接続機能を有するハンドヘルドデバイス、コンピューティングデバイス、またはワイヤレスモデムに接続された他の処理デバイスとすることができる。さらに、本明細書では基地局に関する様々な態様について説明する。基地局は、（１つまたは複数の）ワイヤレス端末と通信するために利用でき、アクセスポイント、ノードＢ（Node B）、または何らかの他の用語で呼ばれることもある。
【００２３】
さらに、「または（or）」という用語は、排他的な「または（or）」ではなく、包括的な「または（or）」を意味するものとする。すなわち、別段の規定がない限り、または文脈から明白でない限り、「ＸはＡまたはＢを使用する(X employs A or B)」という句は、自然な包括的置換のいずれかを意味するものとする。つまり、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「１つの（ａ）」および「１つの（ａｎ）」は、別段の規定がない限り、または単数形を示すことが文脈から明白でない限り、概して「１つまたは複数」を意味するものと解釈すべきである。
【００２４】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用できる。「システム」および「ネットワーク」という用語は、しばしば互換的に使用される。ＣＤＭＡシステムは、ユニバーサル地上波無線アクセス(Universal Terrestrial Radio Access)（ＵＴＲＡ）、ｃｄｍａ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形を含む。さらに、ｃｄｍａ２０００は、ＩＳ−２０００、ＩＳ−９５およびＩＳ−８５６規格をカバーする。ＴＤＭＡシステムは、移動通信用グローバルシステム(Global System for Mobile Communications)（ＧＳＭ）（登録商標）などの無線技術を実装することができる。ＯＦＤＭＡシステムは、進化型（Evolved）ＵＴＲＡ（Ｅ−ＵＴＲＡ）、ウルトラモバイルブロードバンド(Ultra Mobile Broadband)（ＵＭＢ）、ＩＥＥＥ８０２．１１（ＷｉＦｉ）、ＩＥＥＥ８０２．１６（ＷｉＭＡＸ）、ＩＥＥＥ８０２．２０、フラッシュ−ＯＦＤＭ(Flash-OFDM)  などの無線技術を実装することができる。ＵＴＲＡおよびＥ−ＵＴＲＡは、ユニバーサルモバイル電気通信システム(Universal Mobile Telecommunication System)（ＵＭＴＳ）の一部である。３ＧＰＰロングタームエボリューション(Long Term Evolution)（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「第３世代パートナーシッププロジェクト(3rd Generation Partnership Project)」」（３ＧＰＰ）と称する組織からの文書に記載されている。さらに、ｃｄｍａ２０００およびＵＭＢは、「第３世代パートナーシッププロジェクト２(3rd Generation Partnership Project 2)」（３ＧＰＰ２）と称する組織からの文書に記載されている。さらに、そのようなワイヤレス通信システムは、追加として、不対無許可スペクトル、８０２．ｘｘワイヤレスＬＡＮ、ブルートゥース(BLUETOOTH)（登録商標）、および任意の他の短距離または長距離ワイヤレス通信技法をしばしば使用するピアツーピア（たとえば、モバイル間の）アドホックネットワークシステムを含むことができる。
【００２５】
様々な態様または特徴は、いくつかのデバイス、構成要素、モジュールなどを含むことができるシステムに関して提示される。様々なシステムは、追加のデバイス、構成要素、モジュールなどを含んでもよく、および／または各図に関連して論じるデバイス、構成要素、モジュールなどのすべてを含まなくてもよいことを理解および了解されたい。これらの手法の組合せを使用することもできる。
【００２６】
図１を参照すると、ワイヤレスネットワークにおいてリレー機能を提供することを可能にするワイヤレス通信システム１００が示されている。システム１００は、リレーｅＮＢ１０４などの１つまたは複数のリレーｅＮＢにコアネットワーク１０６へのアクセスを提供するドナーｅＮＢ１０２を含む。同様に、リレーｅＮＢ１０４は、リレーｅＮＢ１０８などの１つまたは複数の異種リレーｅＮＢ、またはＵＥ１１０などのＵＥに、ドナーｅＮＢ１０２を介したコアネットワーク１０６へのアクセスを提供することができる。クラスタｅＮＢと呼ばれることもあるドナーｅＮＢ１０２は、ＬＴＥまたは他の技術バックホールリンクとすることができるワイヤードまたはワイヤレスバックホールリンクを介してコアネットワーク１０６と通信することができる。一例では、コアネットワーク１０６は、３ＧＰＰ  ＬＴＥまたは同様の技術ネットワークとすることができる。
【００２７】
ドナーｅＮＢ１０２は、さらに、同じくワイヤードまたはワイヤレス、ＬＴＥまたは他の技術とすることができるリレーｅＮＢ１０４に対するアクセスリンクを提供することができ、リレーｅＮＢ１０４は、ドナーｅＮＢ１０２のアクセスリンクを介してバックホールリンクを使用してドナーｅＮＢ１０２と通信することができる。リレーｅＮＢ１０４は、同様に、ワイヤードまたはワイヤレスのＬＴＥまたは他の技術リンクとすることができるリレーｅＮＢ１０８および／またはＵＥ１１０に対するアクセスリンクを提供することができる。一例では、ドナーｅＮＢ１０２は、ＬＴＥアクセスリンクを提供することができ、リレーｅＮＢ１０４は、ＬＴＥバックホールを使用してＬＴＥアクセスリンクに接続することができ、リレーｅＮＢ１０４は、リレーｅＮＢ１０８および／またはＵＥ１１０へのＬＴＥアクセスリンクを提供することができる。ドナーｅＮＢ１０２は、異種バックホールリンク技術を介してコアネットワーク１０６に接続することができる。リレーｅＮＢ１０８および／またはＵＥ１１０は、説明したように、コアネットワーク１０６へのアクセスを受信するためにＬＴＥアクセスリンクを使用してリレーｅＮＢ１０４に接続することができる。本明細書では、ドナーｅＮＢと接続されたリレーｅＮＢとを集合的にクラスタと呼ぶことがある。
【００２８】
一例によれば、リレーｅＮＢ１０４は、通常ＬＴＥ構成中のＵＥのように、リンクレイヤ（たとえば、媒体アクセス制御（ＭＡＣ）レイヤ）においてドナーｅＮＢ１０２に接続することができる。この点について、ドナーｅＮＢ１０２は、リレーｅＮＢ１０４をサポートするためにリンクレイヤまたは関係するインターフェース（たとえば、Ｅ−ＵＴＲＡ−Ｕｕ）において変更を必要としない通常ＬＴＥ  ｅＮＢとすることができる。さらに、リレーｅＮＢ１０４は、たとえば、リンクレイヤにおいてリレーｅＮＢ１０４に接続するためにＵＥ１１０に変更を必要としないように、リンクレイヤにおいてＵＥ１１０には通常ｅＮＢのように見えるようにすることができる。さらに、リレーｅＮＢ１０４は、アクセスとバックホールリンクとの間のリソース分割、干渉管理、クラスタのアイドルモードセル選択などの手順を構成することができる。
【００２９】
トランスポートレイヤ通信に関して、リレーｅＮＢ１０４はドナーｅＮＢ１０２のセルと同様なので、セルリレー機能と呼ばれるドナーｅＮＢ１０２において、リレーｅＮＢ１０８通信またはＵＥ１１０通信に関係するトランスポートプロトコルを終了することができる。たとえば、セルリレー構成では、ドナーｅＮＢ１０２は、コアネットワーク１０６からリレーｅＮＢ１０４に対する通信を受信し、トランスポートプロトコルを終了し、アプリケーションレイヤを実質的にそのままに保つ異種トランスポートレイヤを介してリレーｅＮＢ１０４に通信を転送（forward）することができる。フォワーディングトランスポートプロトコルタイプは、終端トランスポートプロトコルタイプと同じとすることができるが、リレーｅＮＢ１０４と確立される異なるトランスポートレイヤであることを了解されたい。
【００３０】
リレーｅＮＢ１０４は、通信に関係するリレーｅＮＢまたはＵＥを判断することができ、（たとえば、通信内のその識別子に基づいて）リレーｅＮＢまたはＵＥに通信を提供することができる。同様に、ドナーｅＮＢ１０２は、リレーｅＮＢ１０４から受信した通信のトランスポートレイヤプロトコルを終了し、通信を異種トランスポートプロトコルに変換し、セルリレーとしてリレーｅＮＢ１０４に対してアプリケーションレイヤをそのままの状態で、異種トランスポートプロトコルを介してコアネットワーク１０６に通信を送ることができる。これらの例では、リレーｅＮＢ１０４が別のリレーｅＮＢと通信している場合、リレーｅＮＢ１０４は、通信が確実に正しいリレーｅＮＢに到達するようにするためにアプリケーションプロトコルルーティングをサポートすることができる。
【００３１】
さらに、アプリケーションレイヤプロトコルはアップストリームｅＮＢにおいて終了することができる。したがって、たとえば、リレーｅＮＢ１０８およびＵＥ１１０に対するアプリケーションレイヤプロトコルはリレーｅＮＢ１０４において終了することができ、同様に、リレーｅＮＢ１０４に対するアプリケーションレイヤプロトコルはドナーｅＮＢ１０２において終了することができる。トランスポートおよびアプリケーションレイヤプロトコルは、たとえば、Ｓ１−Ｕ、Ｓ１−ＭＭＥ、および／またはＸ２インターフェースに関係することができる。Ｓ１−Ｕインターフェースは、ノードとコアネットワーク１０６のサービングゲートウェイ（図示せず）との間のデータプレーン中で通信するために利用できる。Ｓ１−ＭＭＥインターフェースは、ノードとコアネットワーク１０６のモビリティ管理エンティティ（ＭＭＥ）（図示せず）との間の制御プレーン通信に利用できる。Ｘ２インターフェースは、ｅＮＢ間の通信に利用できる。さらに、たとえば、ドナーｅＮＢ１０２は、アクセスネットワークを介して相互に通信することを可能にするために他のリレーｅＮＢと通信することができる（たとえば、リレーｅＮＢ１０４は、ドナーｅＮＢ１０２に接続された１つまたは複数の追加のリレーｅＮＢと通信することができる）。
【００３２】
一例によれば、ＵＥ１１０は、コアネットワーク、または１つまたは複数のその構成要素にＵＥ１１０のためのベアラをセットアップさせる、（ドナーｅＮＢ１０２およびリレーｅＮＢ１０４を介した）コアネットワーク１０６への要求を発生することができる。コアネットワーク１０６は、あるタイプの通信クラス（たとえば、会話型ボイス、会話型ビデオ、非会話型ビデオ、バッファ付きビデオ、リアルタイムまたは対話型ゲーム、インターネットプロトコル（ＩＰ）マルチメディアサブシステム（ＩＭＳ）シグナリングなど）のためのＵＥ１１０のための発展型パケットシステム（ＥＰＳ）ベアラをセットアップし、無線ベアラセットアップ要求をドナーｅＮＢ１０２に転送することができる。一例では、ドナーｅＮＢ１０２は、ＥＰＳベアラに対応するためにリレーｅＮＢ１０４の無線ベアラを選択することができ、これはベストエフォートマッチに基づくことができる。この例では、ドナーｅＮＢ１０２は、無線ベアラ割当てと、ＥＰＳベアラおよび／またはＵＥ１１０によってセットアップされる無線ベアラに対応することができるドナーｅＮＢ１０２に固有の識別子とともに、ベアラセットアップ要求をリレーｅＮＢ１０４に転送することができる。ドナーｅＮＢ１０２は、後続のパケットルーティングのためにリレーｅＮＢ１０４の選択された無線ベアラと、ＥＰＳベアラとの間の関連付けを記憶することができる。一例では、これは、リレーｅＮＢ１０４の選択された無線ベアラと、上記で説明したＥＰＳベアラに関係する識別子との間の関連付けとすることができる。同様に、リレーｅＮＢ１０４は、リレーｅＮＢ１０４の選択された無線ベアラと、ＥＰＳベアラとの間の関連付けを記憶することができる。別の例では、ドナーｅＮＢ１０２は、通信クラスに従ってＥＰＳベアラのためのリレーｅＮＢ１０４の無線ベアラを選択することができる。これは、リレーｅＮＢ１０４が、ベアラセットアップ要求を受信すると、後続のパケット転送のためにリレーｅＮＢ１０４の同じ無線ベアラをＥＰＳベアラにマッピングすることができるように、静的（static）マッピングとすることができる。
【００３３】
いずれの場合も、リレーｅＮＢ１０４は、ベアラセットアップ要求をＵＥ１１０に転送し、ＵＥ１１０は、要求されたベアラを確立し、（リレーｅＮＢ１０４およびドナーｅＮＢ１０２を介して）コアネットワーク１０６に確立応答を送信することができる。その後、たとえば、ドナーｅＮＢ１０２は、コアネットワーク１０６からＵＥ１１０向けのパケットを受信することができる。上記で説明したように、パケットは、ＥＰＳベアラおよび／またはＵＥ１１０のベアラのための識別子を備えることができる。一例では、この識別子はトンネルエンドポイント識別子（ＴＥＩＤ）とすることができ、ＵＥ１１０からベアラ確立応答を受信すると、ドナーｅＮＢ１０２は、その識別子をコアネットワーク１０６に与えることができる。ドナーｅＮＢ１０２は、前に記憶された関連付けに基づいてＴＥＩＤをリレーｅＮＢ１０４のベアラと照合することができる。それに応じて、ドナーｅＮＢ１０２は、パケットを示されたベアラに送信することができ、リレーｅＮＢ１０４は、パケットを受信し、処理することができる。リレーｅＮＢ１０４は、ＴＥＩＤ（またはその部分）とＵＥ１１０のベアラとの間の記憶された関連付けに基づいて、パケットまたはその部分をＵＥ１１０に送信することができることを了解されたい。同様に、ＵＥ１１０からパケットを受信すると、リレーｅＮＢ１０４は、ＵＥ１１０／関係するＥＰＳベアラのＴＥＩＤに関連付けられたリレーｅＮＢ１０４のベアラを判断したことに基づいて、パケットを送信するためのベアラを判断することができる。この点について、ドナーｅＮＢ１０２は、複数のリレーｅＮＢとの接続をサポートするために複数のＥＰＳベアラを単一のリレーｅＮＢ１０４にマッピングすることができる。
【００３４】
次に図２を参照すると、ＥＰＳベアラをセルリレー無線ベアラにマッピングすることを可能にする例示的なワイヤレス通信システム２００が示されている。システム２００は、リレーｅＮＢ１０４（および／または他のリレーｅＮＢ）にコアネットワーク１０６へのアクセスを提供するドナーｅＮＢ１０２を含む。さらに、説明したように、リレーｅＮＢ１０４は、ＵＥ１１０にドナーｅＮＢ１０２を介したコアネットワーク１０６へのアクセスを提供することができる。一例では、ドナーｅＮＢ１０２とＵＥ１１０との間に複数のリレーｅＮＢ１０４があり得る。さらに、リレーｅＮＢ１０４は、ドナーｅＮＢ１０２の構成要素を備え、同様の機能を、一例では、追加のダウンストリームリレーｅＮＢに提供することができることを了解されたい。さらに、ドナーｅＮＢ１０２は、マクロセルアクセスポイント、フェムトセルアクセスポイント、ピコセルアクセスポイント、モバイル基地局などとすることができる。リレーｅＮＢ１０４は、同様に、説明したように、ワイヤレスまたはワイヤードバックホールを介してドナーｅＮＢ１０２と通信するモバイルまたは固定リレーノードとすることができる。
【００３５】
ドナーｅＮＢ１０２は、コアネットワーク１０６によって確立されたＥＰＳベアラをリレーｅＮＢの無線ベアラに関連付けるリレーベアラ選択構成要素２０２と、ＥＰＳベアラとリレーｅＮＢの無線ベアラとの間の関連付けを記憶するベアラマッピング構成要素２０４と、ＥＰＳベアラとリレーｅＮＢの無線ベアラとの間の関連付けの通知を送信するベアラ選択通知構成要素２０６と、コアネットワーク１０６と通信するバックホールリンク構成要素２０８と、データに関係するＥＰＳベアラに少なくとも部分的に基づいてリレーｅＮＢの無線ベアラにデータを送信し、リレーｅＮＢの無線ベアラからデータを受信するベアラ通信構成要素２１０と、を備える。
【００３６】
リレーｅＮＢ１０４は、ＥＰＳベアラとリレーｅＮＢ１０４の無線ベアラとの間の関連付けを取得するベアラ選択受信構成要素２１２と、関連付けを記憶するＥＰＳベアラマッピング構成要素２１４と、リレーｅＮＢ１０４の無線ベアラを介して送信されたデータを受信し、無線ベアラを介してデータをドナーｅＮＢ１０２に送信するベアラ通信構成要素２１６と、を含むことができる。
【００３７】
一例によれば、コアネットワーク１０６は、ＵＥ１１０のためのＥＰＳベアラを発生することができ、中間ノードを通してＵＥ１１０に無線ベアラ確立の要求を送信することができる。ドナーｅＮＢ１０２は、ＵＥ１１０に関係する無線ベアラ確立の要求を受信することができる。リレーベアラ選択構成要素２０２は、ＥＰＳベアラおよびＥＰＳベアラとの間で伝送されるデータに対応するためにリレーｅＮＢ１０４の無線ベアラを選択することができる。一例では、リレーベアラ選択構成要素２０２は、ベストエフォートマッチに従って無線ベアラを選択することができる。一例では、ベストエフォートマッチを選択することは、ＥＰＳベアラへのマッピングが最も少ないリレーｅＮＢ１０４のベアラ、最も高いサービス品質（ＱｏＳ）を有するベアラ、あるしきい値を上回るスループットを有するベアラ、技術または通信タイプに従って同様のＥＰＳベアラにマッピングされているベアラなどを選択することを含むことができる。パラメータは、ドナーｅＮＢ１０２によって測定でき、リレーｅＮＢ１０４または他のダウンストリームまたはアップストリームネットワーク構成要素などから受信できる。
【００３８】
ベアラマッピング構成要素２０４は、ＥＰＳベアラとリレーｅＮＢ１０４の選択された無線ベアラとの間の関連付けを記憶することができる。説明したように、ＥＰＳベアラは、ＴＥＩＤなどの識別子によって識別でき、識別子はさらにそれぞれのＵＥ１１０ベアラに関係する。一例では、識別子は、ベアラマッピング構成要素２０４によって提供されたルーティングテーブルに記憶できる。たとえば、ルーティングテーブルは以下の形式と同様であるとすることができる。
【表１】
0005209796.tif 000002
【００３９】
この例では、説明したように、ＴＥＩＤは、ＥＰＳベアラとＵＥ１１０ベアラとを識別するために利用できる。ＴＥＩＤは、実質的に任意のタイプのＴＥＩＤ割当て仕様に従って、ＥＰＳベアラおよび／または対応するＵＥ１１０ベアラに関連付けることができる。たとえば、ドナーｅＮＢ１０２は、ＴＥＩＤ、またはその部分を割り当てることができる。これは、ＵＥ１１０と直接通信しているリレーｅＮＢ（この例ではリレーｅＮＢ１０４）などからの要求に基づくことができる。別の例では、リレーｅＮＢ１０４は、アップストリームノードによってＥＰＳベアラに関連付けることができるＵＥ１１０ベアラにＴＥＩＤ、またはその部分を割り当てることができる。この例では、リレーｅＮＢ１０４は、（たとえば、以下で説明する無線ベアラ確立応答の一部として）ＴＥＩＤをドナーｅＮＢ１０２に与えることができる。
【００４０】
ベアラ選択通知構成要素２０６は、ＥＰＳベアラへの関連付けのために選択されたリレーｅＮＢ１０４無線ベアラの指示をリレーｅＮＢ１０４に送信することができる。これは、一例では、ベアラセットアップ要求とともに行うことができる。ベアラ選択受信構成要素２１２は、ドナーｅＮＢ１０２から通知を取得することができ、ＥＰＳベアラマッピング構成要素２１４は、ドナーｅＮＢ１０２によって選択されたリレーｅＮＢ１０４のベアラと、ＥＰＳベアラの識別子（たとえば、上記で説明したように、ＴＥＩＤ、または対応するＵＥ１１０ベアラに関係する識別子）との間の関連付けを記憶することができる。ＵＥ１１０とドナーｅＮＢ１０２との間の他の中間リレーｅＮＢは、それらの直接アップストリームリレーｅＮＢまたはドナーｅＮＢからベアラ選択を同様に受信し、その選択されたベアラとＥＰＳベアラのための識別子との間の関連付けを記憶することができることを了解されたい。この点について、たとえば、中間リレーｅＮＢは、そのような機能を可能にするために、（たとえば、ダウンストリームベアラ選択のための）ドナーｅＮＢ１０２の構成要素と、（たとえば、アップストリームベアラ選択受信のための）リレーｅＮＢ１０４の構成要素とを備えることができる。リレーｅＮＢ１０４は、その後、たとえば、ドナーｅＮＢ１０２から受信された場合、ベアラセットアップ要求をＵＥ１１０に通信することができる。
【００４１】
ＵＥ１１０は、コアネットワーク１０６中のＥＰＳベアラに対応するベアラを確立することができ、ベアラ確立応答をリレーｅＮＢ１０４に送信することができる。一例では、リレーｅＮＢ１０４がＴＥＩＤまたは少なくともその部分を発生する場合、ベアラ確立応答を受信したことに基づいてそうすることができ、ＥＰＳベアラマッピング構成要素２１４は、ＴＥＩＤと、ＥＰＳベアラのためにドナーｅＮＢ１０２によって選択されたリレーｅＮＢ１０４のベアラとの間の関連付けを記憶することができる。さらに、リレーｅＮＢ１０４は、ダウンストリームルーティングのためにＴＥＩＤのＵＥベアラへの関連付けを記憶することができることを了解されたい。リレーｅＮＢ１０４は、ベアラ確立応答をドナーｅＮＢ１０２（または存在する場合、中間リレーｅＮＢ）に転送することができ、リレーｅＮＢ１０４は、ＴＥＩＤの少なくとも一部分を割り当てる場合、その部分をドナーｅＮＢ１０２（または中間リレーｅＮＢ）に与えることもできる。応答中にＴＥＩＤが存在する場合、ベアラマッピング構成要素２０４は、ＴＥＩＤとリレーｅＮＢ１０４の前に選択されたベアラとの間のマッピングを記憶することができる。ドナーｅＮＢ１０２は、ベアラ確立応答をコアネットワーク１０６に通信することができる。たとえば、ドナーｅＮＢ１０２は、応答転送中におよび／またはＵＥ１１０に関係する後続のパケット中にＴＥＩＤを含めることができることを了解されたい。中間リレーｅＮＢが存在する場合、中間リレーｅＮＢは、存在する場合、ＴＥＩＤまたはその部分を同様に受信し、無線ベアラおよびリレーｅＮＢ識別子にマッピングし、ベアラ確立応答を次のアップストリームリレーｅＮＢまたはドナーｅＮＢ１０２に転送することができる。
【００４２】
コアネットワーク１０６は、ＥＰＳベアラ、したがってＵＥ１１０に関係するパケットをドナーｅＮＢ１０２に送信することができる。一例では、パケットは、ルーティングのためにＴＥＩＤを備えることができる。この点について、バックホールリンク構成要素２０８はデータを受信することができ、ベアラマッピング構成要素２０４は、前に記憶された関連付けに基づいて（たとえば、ＴＥＩＤに従って）ＥＰＳベアラに関係するリレーｅＮＢ１０４の無線ベアラを判断することができる。ベアラ通信構成要素２１０は、次のダウンストリームリレーｅＮＢとしてのリレーｅＮＢ１０４の識別子と、ＴＥＩＤに関連付けられたそれぞれのベアラとを判断したことに基づいて、リレーｅＮＢ１０４（または中間リレーｅＮＢ）の選択された無線ベアラにパケットを送信することができる。ベアラ通信構成要素２１６はドナーｅＮＢ１０２からベアラ通信を受信することができる。説明したように、リレーｅＮＢ１０４は、ＵＥベアラのためのルーティングテーブルに基づいてパケットをＵＥ１１０にルーティングすることができることを了解されたい。
【００４３】
別の例では、ＵＥ１１０は、ＥＰＳベアラ向けのデータをリレーｅＮＢ１０４に通信することができる。ＥＰＳベアラマッピング構成要素２１４は、説明したように、記憶された関連付けに基づいて（ドナーｅＮＢ１０２、および／または存在する場合は他の中間リレーｅＮＢを介して）コアネットワーク１０６にデータを通信するためのベアラを判断することができる。ベアラ通信構成要素２１６は、ベアラを介してデータをドナーｅＮＢ１０２に送信することができる。ベアラ通信構成要素２１０はデータを受信することができ、バックホールリンク構成要素２０８は、（たとえば、ＴＥＩＤとともに）データをコアネットワーク１０６に通信することができる。バックホールリンク構成要素２０８が、新たに作成されるトランスポートパケット中に意図されたペイロードを含めるように受信したパケットを操作することもできるように、ドナーｅＮＢ１０２は、説明したように、異種トランスポートレイヤを介してコアネットワーク１０６と通信することができることを了解されたい。同様に、コアネットワーク１０６からパケットを受信すると、バックホールリンク構成要素２０８は、一例では、ベアラ通信構成要素２１０を介して、受信したパケット中のペイロードを送信するための異種トランスポートレイヤパケットを構築することができる。
【００４４】
次に図３を参照すると、ＥＰＳベアラの通信クラスに基づいてＥＰＳベアラをセルリレー無線ベアラにマッピングすることを可能にする例示的なワイヤレス通信システム３００が示されている。システム３００は、リレーｅＮＢ１０４（および／または他のリレーｅＮＢ）にコアネットワーク１０６へのアクセスを提供するドナーｅＮＢ１０２を含む。さらに、説明したように、リレーｅＮＢ１０４は、ＵＥ１１０にドナーｅＮＢ１０２を介したコアネットワーク１０６へのアクセスを提供することができる。一例では、ドナーｅＮＢ１０２とＵＥ１１０との間に複数のリレーｅＮＢ１０４があり得る。さらに、リレーｅＮＢ１０４は、ドナーｅＮＢ１０２の構成要素を備え、同様の機能を、一例では、追加のダウンストリームリレーｅＮＢに提供することができることを了解されたい。さらに、ドナーｅＮＢ１０２は、マクロセルアクセスポイント、フェムトセルアクセスポイント、ピコセルアクセスポイント、モバイル基地局などとすることができる。リレーｅＮＢ１０４は、同様に、説明したように、ワイヤレスまたはワイヤードバックホールを介してドナーｅＮＢ１０２と通信するモバイルまたは固定リレーノードとすることができる。
【００４５】
ドナーｅＮＢ１０２は、コアネットワーク１０６によって初期化されたＥＰＳベアラの通信クラスを見分けるＥＰＳクラス判断構成要素３０２と、ＥＰＳベアラの通信クラスに基づいてコアネットワーク１０６によって確立されたＥＰＳベアラをリレーｅＮＢの無線ベアラに関連付けるリレーベアラ選択構成要素２０２と、ＥＰＳベアラとリレーｅＮＢの無線ベアラとの間の関連付けを記憶するベアラマッピング構成要素２０４と、コアネットワーク１０６と通信するバックホールリンク構成要素２０８と、データに関係するＥＰＳベアラに少なくとも部分的に基づいてリレーｅＮＢの無線ベアラにデータを送信し、リレーｅＮＢの無線ベアラからデータを受信するベアラ通信構成要素２１０とを備える。
【００４６】
リレーｅＮＢ１０４は同様に、セットアップが要求されたＥＰＳベアラの通信クラスを取得するＥＰＳクラス判断構成要素３０４と、通信クラスに基づいてリレーｅＮＢ１０４のローカル無線ベアラをＥＰＳベアラにマッピングするローカルベアラ選択構成要素３０６と、ＥＰＳベアラと選択されたリレーｅＮＢ１０４ベアラとの間の関連付けを記憶するＥＰＳベアラマッピング構成要素２１４と、リレーｅＮＢ１０４の無線ベアラを介して送信されたデータを受信し、無線ベアラを介してデータをドナーｅＮＢ１０２に送信するベアラ通信構成要素２１６とを含むことができる。
【００４７】
一例によれば、コアネットワーク１０６は、ＵＥ１１０のためのＥＰＳベアラを発生することができ、中間ノードを通してＵＥ１１０に無線ベアラ確立の要求を送信することができる。ドナーｅＮＢ１０２は、ＵＥ１１０に関係する無線ベアラ確立の要求を受信することができる。リレーベアラ選択構成要素２０２は、ＥＰＳベアラおよびＥＰＳベアラとの間で伝送されるデータに対応するためにリレーｅＮＢ１０４の無線ベアラを選択することができる。一例では、リレーベアラ選択構成要素２０２は、ＥＰＳベアラに関係する通信のクラスに従って無線ベアラを選択することができる。この例では、ＥＰＳクラス判断構成要素３０２はＥＰＳベアラのクラスを見分けることができ、それは、コアネットワーク１０６から受信したＥＰＳベアラに関係するＱＣＩに少なくとも部分的に基づくことができる。一例では、ＥＰＳベアラのクラスは以下のうちの少なくとも１つとすることができる。
【表２】
0005209796.tif 000003
【００４８】
ＱＣＩは、ＥＰＳベアラに関係するベアラセットアップ要求においてコアネットワーク１０６から受信できる。
【００４９】
ベアラマッピング構成要素２０４は、ＥＰＳベアラと、ＥＰＳベアラ通信クラスに従って選択されたリレーｅＮＢ１０４の無線ベアラと、の間の関連付けを記憶することができる。説明したように、ＥＰＳベアラは、ＴＥＩＤなどの識別子によって識別でき、さらにそれぞれのＵＥ１１０ベアラに関係することができる。一例では、識別子は、ベアラマッピング構成要素２０４によって提供されたルーティングテーブルに記憶できる。たとえば、ルーティングテーブルは以下の形式と同様であるとすることがあり得る。
【表３】
0005209796.tif 000004
【００５０】
この例では、ＴＥＩＤは、説明したように、ＥＰＳベアラ／ＵＥ１１０ベアラを識別するために利用できる。ＴＥＩＤは、前述のように、実質的に任意のタイプのＴＥＩＤ割当て仕様に従って、ＥＰＳベアラおよび／または対応するＵＥ１１０ベアラに関連付けることができる。
【００５１】
ドナーｅＮＢ１０２はベアラセットアップ要求をリレーｅＮＢ１０４に転送することができる。ＥＰＳクラス判断構成要素３０４は同様に（たとえば、ベアラセットアップ要求中に受信されたＱＣＩに従って）ＥＰＳベアラのための通信クラスを見分けることができる。ローカルベアラ選択構成要素３０６は、ＥＰＳベアラの通信クラスに基づいてＥＰＳベアラにマッピングするためのローカル無線ベアラを選択することができる。これは、説明したように、ドナーｅＮＢ１０２とリレーｅＮＢ１０４とがリレーｅＮＢ１０４の同じ無線ベアラにマッピングするように、静的マッピングに従って行うことができる。ＥＰＳベアラマッピング構成要素２１４は、リレーｅＮＢ１０４の選択された無線ベアラとＥＰＳベアラの識別子（たとえば、上記で説明したように、ＴＥＩＤ、または対応するＵＥ１１０ベアラに関係する識別子）との間の関連付けを記憶することができる。ＵＥ１１０とドナーｅＮＢ１０２との間の他の中間リレーｅＮＢは、存在する場合、同様に、転送されたベアラセットアップ要求中でのＥＰＳベアラのためのＱＣＩ情報を受信し、ＱＣＩ情報に基づいてＥＰＳベアラに関係するデータを通信するためのローカル無線ベアラを選択し、選択されたベアラとＥＰＳベアラのための識別子との間の関連付けを記憶することができる。この点について、たとえば、中間リレーｅＮＢは、（たとえば、受信したＱＣＩ情報に従ったベアラ選択のための）リレーｅＮＢ１０４の構成要素を備えることができる。リレーｅＮＢ１０４は、その後、たとえば、ドナーｅＮＢ１０２から受信された場合、ベアラセットアップ要求をＵＥ１１０に通信することができる。
【００５２】
ＵＥ１１０は、コアネットワーク１０６中のＥＰＳベアラに対応するベアラを確立することができ、ベアラ確立応答をリレーｅＮＢ１０４に送信することができる。一例では、リレーｅＮＢ１０４がＴＥＩＤまたは少なくともその部分を発生する場合、ベアラ確立応答を受信したことに基づいてそうすることができ、ＥＰＳベアラマッピング構成要素２１４は、ＴＥＩＤと、ＥＰＳベアラ通信クラスに従って選択されたリレーｅＮＢ１０４のベアラと、の間の関連付けを記憶することができる。さらに、リレーｅＮＢ１０４は、ダウンストリームルーティングのためにＴＥＩＤのＵＥベアラへの関連付けを記憶することができることを了解されたい。リレーｅＮＢ１０４は、ベアラ確立応答をドナーｅＮＢ１０２（または存在する場合、中間リレーｅＮＢ）に転送することができ、リレーｅＮＢ１０４は、ＴＥＩＤの少なくとも一部分を割り当てる場合、その部分をドナーｅＮＢ１０２（または中間リレーｅＮＢ）に与えることもできる。応答中にＴＥＩＤが存在する場合、ベアラマッピング構成要素２０４は、ＴＥＩＤとリレーｅＮＢ１０４の前に選択されたベアラとの間のマッピングを記憶することができる。ドナーｅＮＢ１０２は、ベアラ確立応答をコアネットワーク１０６に通信することができる。たとえば、ドナーｅＮＢ１０２は、応答転送中におよび／またはＵＥ１１０に関係する後続のパケット中にＴＥＩＤを含めることができることを了解されたい。中間リレーｅＮＢが存在する場合、中間リレーｅＮＢは、ＴＥＩＤまたはその部分を同様に受信し、存在する場合、無線ベアラおよびリレーｅＮＢ識別子にマッピングし、ベアラ確立応答を次のアップストリームリレーｅＮＢまたはドナーｅＮＢ１０２に転送することができる。
【００５３】
コアネットワーク１０６は、ＥＰＳベアラ、したがってＵＥ１１０に関係するパケットをドナーｅＮＢ１０２に送信することができる。一例では、パケットは、ルーティングのために対応するＴＥＩＤを備えることができる。この点について、バックホールリンク構成要素２０８はデータを受信することができ、ベアラマッピング構成要素２０４は、前に記憶された関連付けに基づいてＥＰＳベアラに関係するリレーｅＮＢ１０４の無線ベアラを判断することができる。ベアラ通信構成要素２１０は、次のダウンストリームリレーｅＮＢとしてのリレーｅＮＢ１０４の識別子と、ＴＥＩＤに関連付けられたそれぞれのベアラとを判断したことに基づいて、リレーｅＮＢ１０４（または中間リレーｅＮＢ）の選択された無線ベアラにパケットを送信することができる。ベアラ通信構成要素２１６はドナーｅＮＢ１０２からベアラ通信を受信することができる。説明したように、リレーｅＮＢ１０４は、ＵＥベアラのためのルーティングテーブルに基づいてパケットをＵＥ１１０にルーティングすることができることを了解されたい。
【００５４】
別の例では、ＵＥ１１０は、ＥＰＳベアラ向けのデータをリレーｅＮＢ１０４に通信することができる。ＥＰＳベアラマッピング構成要素２１４は、説明したように、記憶された関連付けに基づいて（ドナーｅＮＢ１０２、および／または存在する場合は他の中間リレーｅＮＢを介して）コアネットワーク１０６にデータを通信するためのベアラを判断することができる。ベアラ通信構成要素２１６は、ベアラを介してデータをドナーｅＮＢ１０２に送信することができる。ベアラ通信構成要素２１０はデータを受信することができ、バックホールリンク構成要素２０８は、（たとえば、ＴＥＩＤとともに）データをコアネットワーク１０６に通信することができる。バックホールリンク構成要素２０８が、新たに作成されるトランスポートパケット中に意図されたペイロードを含めるように受信したパケットを操作することもできるように、ドナーｅＮＢ１０２は、説明したように、異種トランスポートレイヤを介してコアネットワーク１０６と通信することができることを了解されたい。同様に、コアネットワーク１０６からパケットを受信すると、バックホールリンク構成要素２０８は、一例では、ベアラ通信構成要素２１０を介して、受信したパケット中のペイロードを送信するための異種トランスポートレイヤパケットを構築することができる。
【００５５】
次に図４を参照すると、ＥＰＳベアラをダウンストリームリレー無線ベアラにマッピングすることを可能にする例示的なワイヤレス通信システム４００が示されている。システム４００は、リレーｅＮＢ１０４（および／または他のリレーｅＮＢ）にコアネットワーク１０６へのアクセスを提供するドナーｅＮＢ１０２を含む。さらに、説明したように、リレーｅＮＢ１０４は、ＵＥ１１０にドナーｅＮＢ１０２を介したコアネットワーク１０６へのアクセスを提供することができる。一例では、ドナーｅＮＢ１０２とＵＥ１１０との間に複数のリレーｅＮＢ１０４があり得る。さらに、リレーｅＮＢ１０４は、ドナーｅＮＢ１０２と同様の機能を、一例では、追加のダウンストリームリレーｅＮＢに提供することができることを了解されたい。さらに、ドナーｅＮＢ１０２は、マクロセルアクセスポイント、フェムトセルアクセスポイント、ピコセルアクセスポイント、モバイル基地局などとすることができる。リレーｅＮＢ１０４は、同様に、説明したように、ワイヤレスまたはワイヤードバックホールを介してドナーｅＮＢ１０２と通信するモバイルまたは固定リレーノードとすることができる。
【００５６】
一例によれば、コアネットワーク１０６は、ＥＰＳベアラに関する１つまたは複数のパラメータを備えるドナーｅＮＢ１０２にベアラセットアップ要求４０２を送信することができる。一例では、コアネットワーク１０６は、バックホールリンクを介して要求４０２をドナーｅＮＢ１０２に送信することができる。たとえば、ＭＭＥなど、コアネットワーク１０６からの構成要素は、ＳＧＷ／ＰＧＷにおいて開始することができる要求を転送することができる。さらに、説明したように、要求は、ボイスベアラ、ビデオベアラ、ゲームベアラなどの要求など、ＵＥ１１０からのサービスの事前要求に応じることができる。ドナーｅＮＢ１０２は、ＥＰＳベアラにマッピングするためのリレーｅＮＢ１０４の無線ベアラを選択することができる。説明したように、これは、ベストエフォート、（たとえば、ベアラセットアップ要求４０２中で受信できる）ＥＰＳベアラに関係するＱＣＩなどに基づくことができる。ドナーｅＮＢ１０２は、その後、ＲＲＣ接続再構成メッセージ４０４およびベアラセットアップ要求４０６をリレーｅＮＢ１０４に送信することができる。
【００５７】
ドナーｅＮＢ１０２がベストエフォートに基づいてリレーｅＮＢ１０４無線ベアラを選択する場合、たとえば、ドナーｅＮＢ１０２は、ＲＲＣ接続再構成４０４またはベアラセットアップ要求４０６中にその選択を含めることができる。リレーｅＮＢ１０４は、たとえば、ＲＲＣ接続再構成４０８をＵＥ１１０に転送し、ＲＲＣ接続再構成完了メッセージ４１０をドナーｅＮＢ１０２に送信することによって、ドナーｅＮＢ１０２による無線ベアラ選択に肯定応答することができる。ＥＰＳベアラがＱＣＩに基づいて判断される場合、たとえば、ドナーｅＮＢ１０２は、ＲＲＣ接続再構成４０４またはベアラセットアップ要求４０６中でＱＣＩ情報をリレーｅＮＢ１０４に転送することができる。この例では、説明したように、リレーｅＮＢ１０４がＱＣＩ情報に関係するローカルベアラを判断すると、リレーｅＮＢ１０４は、ＲＲＣ接続再構成完了４１０をドナーｅＮＢ１０２に送信することができる。
【００５８】
いずれの例でも、リレーｅＮＢ１０４とドナーｅＮＢ１０２との間に中間リレーｅＮＢがある場合、各中間リレーｅＮＢは、同様に、アップストリームｅＮＢからベアラ選択を受信するか、またはＱＣＩに基づいて選択を判断し、受信したベアラ選択とＥＰＳとの間の関連付けを記憶することができる。中間リレーｅＮＢはまた、ドナーｅＮＢ１０２とほとんど同様に、（たとえば、ベストエフォートマッチまたはＱＣＩに基づいて）ＥＰＳベアラのためのダウンストリームリレーｅＮＢベアラを選択し、ダウンストリームリレーｅＮＢベアラへのＥＰＳベアラのマッピングを記憶し、ダウンストリームリレーｅＮＢにその選択を通知するか、またはそれにＱＣＩ情報を転送する。いずれの場合も、ＵＥは、ＲＲＣ接続再構成完了４１２をリレーｅＮＢ１０４に送信し、リレーｅＮＢ１０４は、ベアラセットアップ応答４１４をドナーｅＮＢに示し、ドナーｅＮＢは、同様にベアラセットアップ応答４１６をコアネットワーク１０６に示すことができる。
【００５９】
説明したように、メッセージはさらに、様々なノードにわたってベアラまたは対応するＥＰＳベアラに関係するＵＥ１１０のためのＴＥＩＤをパスするために利用できる。たとえば、ドナーｅＮＢ１０２がＴＥＩＤの少なくとも一部分を割り当てる場合、その部分をＲＲＣ接続再構成４０４またはベアラセットアップ要求４０６中でリレーｅＮＢ１０４にパスすることができる。説明したように、中間リレーｅＮＢが存在する場合、中間リレーｅＮＢは同様に、ＴＥＩＤ部分を受信し、それを同様のメッセージ中でダウンストリームにパスすることができる。さらに、リレーｅＮＢ１０４がＴＥＩＤの少なくとも一部分を発生する場合、ＲＲＣ接続再構成完了４１２またはベアラセットアップ応答４１４メッセージ中でＴＥＩＤ部分をパスすることができる。アップストリームリレーｅＮＢは同様にＴＥＩＤの部分をそれらのアップストリームｅＮＢにパスすることができる。この点について、各リレーｅＮＢおよびドナーｅＮＢは、説明したように、適用可能な場合に、ＴＥＩＤを、ＥＰＳベアラ、ダウンストリームｅＮＢベアラ、およびアップストリームｅＮＢベアラに関連付けて、当該のベアラへのパケットのルーティングをサポートすることができる。
【００６０】
次に図５を参照すると、セルリレー機能を提供する例示的なワイヤレス通信ネットワーク５００が示されている。ネットワーク５００は、説明したように、ワイヤレスネットワークへのアクセスを受信するためにリレーｅＮＢ１０４と通信するＵＥ１１０を含む。リレーｅＮＢ１０４は、ワイヤレスネットワークへのアクセスを提供するためにドナーｅＮＢ１０２と通信することができ、説明したように、ドナーｅＮＢ１０２は、リレーｅＮＢ１０４に関係するＭＭＥ５０２および／またはＳＧＷ５０４と通信することができる。ＳＧＷ５０４は、ＳＧＷ５０４および／または追加のＳＧＷへのネットワークアクセスを提供するＰＧＷ５０６に接続または結合することができる。ＰＧＷ５０６は、ＵＥ１１０がネットワークを使用することを認証／許可するために、ＵＥ１１０および／またはリレーｅＮＢ１０４にアドレス指定を提供するためにＩＭＳ５１０を利用できるＰＣＲＦ５０８と通信することができる。
【００６１】
一例によれば、ＭＭＥ５０２および／またはＳＧＷ５０４とＰＧＷ５０６とは、クラスタ中の実質的にすべてのリレーｅＮＢをサービスするドナーｅＮＢ１０２に関係することができる。ドナーｅＮＢ１０２はまた、ＰＧＷ５１８が、リレーｅＮＢ１０４と、ドナーｅＮＢ１０２と、ＳＧＷ５１６とを通してそれに対する通信をトンネリングすることを可能にするためにＵＥ１１０にネットワークアドレスを割り当てることができるように、ＵＥ１１０に関係するＰＧＷ５１８およびＳＧＷ５１６と通信することができる。さらに、たとえば、ＳＧＷ５１６は、ＵＥ１１０との間で制御プレーン通信を可能にするためにＭＭＥ５１４と通信することができる。ＭＭＥ５０２とＭＭＥ５１４とは、一例では、同じＭＭＥとすることができることを了解されたい。ＰＧＷ５１８は、同様に、ＵＥ１１０を認証／許可するために、ＩＭＳ５１０と通信できるＰＣＲＦ５０８と通信することができる。さらに、ＰＧＷ５１８は、ＩＭＳ５１０および／またはインターネット５１２と直接通信することができる。
【００６２】
一例では、ＵＥ１１０は、説明したように、Ｅ−ＵＴＲＡ−Ｕｕインターフェースを介してリレーｅＮＢ１０４と通信することができ、リレーｅＮＢ１０４は、Ｅ−ＵＴＲＡ−Ｕｕインターフェースまたは他のインターフェースを使用してドナーｅＮＢ１０２と通信することができる。ドナーｅＮＢ１０２は、図示のように、Ｓ１−ＭＭＥインターフェースを使用してＭＭＥ５０２と、Ｓ１−Ｕインターフェースを介してＳＧＷ５０４およびＰＧＷ５０６と通信する。Ｓ１−ＭＭＥおよびＳ１−Ｕインターフェースを介して使用されるトランスポートレイヤは、説明したように、ドナーｅＮＢ１０２において終了される。この点について、ＭＭＥ５０２またはＳＧＷ５０４からのリレーｅＮＢ１０４に対する通信を受信すると、ドナーｅＮＢ１０２は、新しいトランスポートレイヤパケットを定義し、アプリケーションレイヤ通信を新しいトランスポートレイヤパケット中で（一例では、Ｅ−ＵＴＲＡ−Ｕｕインターフェースを介して）リレーｅＮＢ１０４に送信することによってトランスポートレイヤからアプリケーションレイヤを分離する。
【００６３】
制御プレーン通信をリレーｅＮＢ１０４からＭＭＥ５０２に送信すると、ドナーｅＮＢ１０２は、（たとえば、Ｓ１−ＡＰメッセージ中で）リレーｅＮＢ１０４の識別子を示すことができ、ＭＭＥ５０２は、ドナーｅＮＢ１０２への応答通信中で識別子を送信することができる。データプレーン通信をリレーｅＮＢ１０４からＳＧＷ５０４に送信するとき、ドナーｅＮＢ１０２は、リレーｅＮＢ１０４（またはＵＥ１１０もしくは１つまたは複数の関係するベアラ）を識別するために、ＧＴＰ−ＵヘッダのＴＥＩＤ中にまたは別のプロトコルパラメータ中にリレーｅＮＢ１０４（またはＵＥ１１０もしくは１つまたは複数の関係するベアラ）の識別子を挿入することができる。ＳＧＷ５０４は、上記で説明したように、ドナーｅＮＢ１０２がリレーｅＮＢ１０４を判断することができるように、あるいは１つまたは複数のダウンストリームリレーｅＮＢが変換パケットを受信するように応答ＧＴＰ−Ｕヘッダ中でＴＥＩＤを送信することができる。たとえば、これは、ドナーｅＮＢ１０２のルーティングテーブル中にＴＥＩＤの少なくとも一部分を配置することに少なくとも部分的に基づくことができる。さらに、一例では、説明したように、ヘッダを圧縮することができる。図示のように、ＭＭＥ５０２はＳＧＷ５０４と、ＭＭＥ５１４はＳＧＷ５１６とＳ１１インターフェースを使用して通信することができる。ＰＧＷ５０６および５１８は、Ｇｘインターフェースを介してＰＣＲＦ５０８と通信することができる。さらに、ＰＣＲＦ５０８は、Ｒｘインターフェースを使用してＩＭＳ５１０と通信することができ、ＰＧＷ５１８は、ＳＧｉインターフェースを使用してＩＭＳ５１０および／またはインターネット５１２と通信することができる。
【００６４】
図６乃至図８を参照すると、複数のＥＰＳベアラを単一のダウンストリームリレーｅＮＢ無線ベアラにマッピングすることに関係する方法が示されている。説明を簡潔にする目的で、方法を一連の行為として図示し説明するが、いくつかの行為は、１つまたは複数の態様によれば、本明細書で図示し説明する順序とは異なる順序で、および／または他の行為と同時に行われるので、方法は行為の順序によって限定されないことを理解し、了解されたい。たとえば、方法は、状態図など、一連の相互に関連する状態またはイベントとして代替的に表現できることを当業者ならば理解し、了解するであろう。さらに、１つまたは複数の態様による方法を実装するために、図示のすべての行為が必要とされるわけではない。
【００６５】
図６を参照すると、ＥＰＳベアラにマッピングするためのダウンストリームリレーｅＮＢ無線ベアラを選択することを可能にする例示的な方法６００が示されている。６０２において、初期化されたＥＰＳベアラに関するパラメータを受信することができる。説明したように、たとえば、パラメータは、コアネットワークまたはアップストリームｅＮＢから受信され、ＥＰＳベアラの初期化、それに関係するＱＣＩパラメータなどを示すことができる。６０４において、ＥＰＳベアラとの間でデータを通信するためのダウンストリームリレーｅＮＢの無線ベアラを選択することができる。無線ベアラは、ベストエフォートマッチに従って、たとえば、無線ベアラに関係する１つまたは複数のパラメータに基づいて選択できる。別の例では、説明したように、無線ベアラはＥＰＳベアラのＱＣＩに基づいて選択できる。６０６において、無線ベアラを使用して、ＥＰＳベアラを介して受信されたデータをダウンストリームリレーｅＮＢに送信することができる。説明したように、選択された無線ベアラは、説明したように、ＥＰＳベアラ（または対応するＵＥベアラ）に関係する識別子とともにルーティングテーブルに記憶できる。したがって、ＥＰＳベアラデータを送信するための無線ベアラを判断するときに、ルーティングテーブルを調べることができる。
【００６６】
図７を参照すると、ＥＰＳベアラに対応するローカル無線ベアラ情報を受信することを可能にする例示的な方法７００が示されている。７０２において、ローカル無線ベアラへのＥＰＳベアラの関連付けを受信することができる。一例では、関連付けは、ローカル無線ベアラを選択するアップストリームｅＮＢから受信できる。別の例では、説明したように、ＥＰＳベアラの受信したＱＣＩに少なくとも部分的に基づいて関連付けを判断することができる。７０４において、関連付けをルーティングテーブルに記憶することができる。説明したように、これにより、ローカル無線ベアラを介したアップストリームｅＮＢへのパケットの後続のルーティングが可能になる。７０６において、ローカル無線ベアラを介してアップストリームｅＮＢからＥＰＳベアラに関係するデータを受信することができる。したがって、ローカル無線ベアラは、ＥＰＳベアラとの間でデータを通信することを可能にする。
【００６７】
図８を参照すると、ＥＰＳベアラへのローカル無線ベアラ割当てを受信し、ＥＰＳベアラへの関連付けのためにダウンストリームリレーｅＮＢ無線ベアラを選択することを可能にする例示的な方法８００が示されている。８０２において、ローカル無線ベアラへのＥＰＳベアラの関連付けを受信することができる。説明したように、これは、コアネットワーク構成要素またはアップストリームｅＮＢから受信でき、後続のパケットルーティングのために、８０４において、関連付けをルーティングテーブルに記憶することができる。８０６において、ＥＰＳベアラとの間でデータを通信するためのダウンストリームリレーｅＮＢの無線ベアラを選択することができる。説明したように、これは、ベストエフォートマッチ、ＥＰＳベアラの受信されたＱＣＩなどに基づいて選択できる。８０８において、無線ベアラを使用して、ローカル無線ベアラを介して受信されたデータをダウンストリームリレーｅＮＢに送信することができる。
【００６８】
本明細書で説明する１つまたは複数の態様によれば、ベストエフォートマッチに従ってＥＰＳベアラのための無線ベアラを選択することおよび／または本明細書で説明する他の態様に関して推論を行うことができることを了解されたい。本明細書で使用する「推論する」または「推論」という用語は、概して、イベントおよび／またはデータを介して捕捉された観察のセットから、システム、環境、および／またはユーザの状態について推理する、またはその状態を推論するプロセスを指す。推論は、特定のコンテキストまたはアクションを識別するために使用でき、あるいは、たとえば、状態の確率分布を発生することができる。推論は、確率的、すなわち、データおよびイベントの考察に基づく当該の状態の確率分布の計算とすることができる。推論は、イベントおよび／またはデータのセットからより高いレベルのイベントを構成するために採用される技法を指すこともある。そのような推論から、イベントが時間的に緊切して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【００６９】
次に図９を参照すると、本明細書で提示する様々な実施形態によるワイヤレス通信システム９００が示されている。システム９００は、複数のアンテナグループを含むことができる基地局９０２を備える。たとえば、１つのアンテナグループはアンテナ９０４および９０６を含み、別のグループはアンテナ９０８および９１０を備え、さらなるグループはアンテナ９１２および９１４を含むことができる。アンテナグループごとに２つのアンテナが示されているが、グループごとにより多いまたはより少ないアンテナを利用することができる。基地局９０２は、さらに、送信機チェーンおよび受信機チェーンを含むことができ、送信機チェーンおよび受信機チェーンの各々は、当業者なら了解するように、信号送信および受信に関連する複数の構成要素（たとえば、プロセッサ、変調器、マルチプレクサ、復調器、デマルチプレクサ、アンテナなど）を備えることができる。
【００７０】
基地局９０２は、モバイルデバイス９１６およびモバイルデバイス９２２など１つまたは複数のモバイルデバイスと通信することができるが、基地局９０２は、モバイルデバイス９１６および９２２と同様の実質的にいかなる数のモバイルデバイスとも通信することができることを了解されたい。モバイルデバイス９１６および９２２は、たとえば、セルラー電話、スマートフォン、ラップトップ、ハンドヘルド通信デバイス、ハンドヘルドコンピューティングデバイス、衛星ラジオ、全地球測位システム（global positioning system）、ＰＤＡ、および／またはワイヤレス通信システム９００を介して通信するための他の適切なデバイスとすることができる。図示のように、モバイルデバイス９１６は、アンテナ９１２および９１４と通信しており、アンテナ９１２および９１４は、順方向リンク９１８を介して情報をモバイルデバイス９１６に送信し、逆方向リンク９２０を介してモバイルデバイス９１６から情報を受信する。さらに、モバイルデバイス９２２は、アンテナ９０４および９０６と通信しており、アンテナ９０４および９０６は、順方向リンク９２４を介して情報をモバイルデバイス９２２に送信し、逆方向リンク９２６を介してモバイルデバイス９２２から情報を受信する。周波数分割複信（ＦＤＤ）システムでは、たとえば、順方向リンク９１８は、逆方向リンク９２０によって使用される周波数帯とは異なる周波数帯を利用し、順方向リンク９２４は、逆方向リンク９２６によって使用される周波数帯とは異なる周波数帯を使用することができる。さらに、時分割複信（ＴＤＤ）システムでは、順方向リンク９１８および逆方向リンク９２０は共通の周波数帯を利用し、順方向リンク９２４および逆方向リンク９２６は共通の周波数帯を利用することができる。
【００７１】
アンテナの各グループおよび／またはそれらが通信するように指定されたエリアを、基地局９０２のセクタと呼ぶことができる。たとえば、基地局９０２によってカバーされるエリアのセクタ中のモバイルデバイスに通信するようにアンテナグループを設計することができる。順方向リンク９１８および９２４を介した通信では、基地局９０２の送信アンテナは、モバイルデバイス９１６および９２２についての順方向リンク９１８および９２４の信号対雑音比を向上させるためにビームフォーミングを利用することができる。さらに、基地局９０２が、関連するカバレッジ中に不規則に散在するモバイルデバイス９１６および９２２に送信するためにビームフォーミングを利用する間は、基地局が単一のアンテナを介してその基地局のすべてのモバイルデバイスに送信する場合と比較して、隣接セル内のモバイルデバイスは干渉を受けにくい。さらに、モバイルデバイス９１６および９２２は、ピアツーピアまたはアドホック技術を使用して互いに直接通信することができる（図示せず）。
【００７２】
一例によれば、システム９００は多入力多出力（ＭＩＭＯ）通信システムとすることができる。さらに、システム９００は、ＦＤＤ、ＦＤＭ、ＴＤＤ、ＴＤＭ、ＣＤＭなど、通信チャネル（たとえば、順方向リンク、逆方向リンク、．．．）を分割する実質的にどんなタイプの複信技法でも利用することができる。さらに、チャネル上での複数のデバイスとの同時通信を可能にするために通信チャネルを直交させ、一例では、この点についてＯＦＤＭを利用することができる。したがって、チャネルは、ある期間にわたる周波数の部分に分割できる。さらに、フレームは、期間の集合にわたる周波数の部分として定義され、したがって、たとえば、フレームはいくつかのＯＦＤＭシンボルを備えることができる。基地局９０２は、様々なタイプのデータに対して作成できるチャネルを介してモバイルデバイス９１６および９２２に通信することができる。たとえば、チャネルは、様々なタイプの一般的通信データ、制御データ（たとえば、他のチャネルの品質情報、チャネルを介して受信されたデータに対する肯定応答インジケータ、干渉情報、基準信号など）などを通信するために作成できる。
【００７３】
図１０に、例示的なワイヤレス通信システム１０００を示す。ワイヤレス通信システム１０００には、簡潔のために、１つの基地局１０１０と、１つのモバイルデバイス１０５０とを示してある。ただし、システム１０００は、２つ以上の基地局および／または２つ以上のモバイルデバイスを含むことができ、追加の基地局および／またはモバイルデバイスは、以下で説明する例示的な基地局１０１０およびモバイルデバイス１０５０と実質的に同様または異なるものとすることができることを了解されたい。さらに、基地局１０１０および／またはモバイルデバイス１０５０は、それらの間のワイヤレス通信を可能にするために、本明細書で説明するシステム（図１乃至図５および図９）および／または方法（図６乃至図８）を使用することができることを了解されたい。
【００７４】
基地局１０１０において、いくつかのデータストリームのトラフィックデータがデータソース１０１２から送信（ＴＸ）データプロセッサ１０１４に供給される。一例によれば、各データストリームは、それぞれのアンテナを介して送信できる。ＴＸデータプロセッサ１０１４は、トラフィックデータストリーム用に選択された特定の符号化方式に基づいて、そのデータストリームをフォーマット化し、符号化し、インタリーブして、符号化データを与える。
【００７５】
各データストリームの符号化データは、直交周波数分割多重（ＯＦＤＭ）技法を使用してパイロットデータと多重化できる。追加または代替として、パイロットシンボルは、周波数分割多重化（ＦＤＭ）、時分割多重化（ＴＤＭ）、または符号分割多重化（ＣＤＭ）できる。パイロットデータは、一般に、知られている方法で処理される知られているデータパターンであり、チャネル応答を推定するためにモバイルデバイス１０５０において使用できる。各データストリームの多重化されたパイロットおよび符号化データは、そのデータストリーム用に選択された特定の変調方式（たとえば、２相位相変調（ＢＰＳＫ）、４相位相変調（ＱＰＳＫ）、多相位相変調（Ｍ−ＰＳＫ）、Ｍ値直交振幅変調（Ｍ−ＱＡＭ）など）に基づいて変調（たとえば、シンボルマッピング）して、変調シンボルを与えることができる。各データストリームのデータレート、符号化、および変調は、プロセッサ１０３０によって実行または与えられる命令によって判断できる。
【００７６】
データストリームの変調シンボルはＴＸ  ＭＩＭＯプロセッサ１０２０に供給され、ＴＸ  ＭＩＭＯプロセッサ１０２０は、（たとえば、ＯＦＤＭ用に）変調シンボルをさらに処理することができる。次いで、ＴＸ  ＭＩＭＯプロセッサ１０２０はＮT個の変調シンボルストリームをＮT個の送信機（ＴＭＴＲ）１０２２ａ乃至１０２２ｔに供給する。様々な態様では、ＴＸ  ＭＩＭＯプロセッサ１０２０は、データストリームのシンボルと、シンボルの送信元のアンテナとにビームフォーミング重みを適用する。
【００７７】
各送信機１０２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。さらに、送信機１０２２ａ乃至１０２２ｔからのＮT個の変調信号は、それぞれＮT個のアンテナ１０２４ａ乃至１０２４ｔから送信される。
【００７８】
モバイルデバイス１０５０では、送信された変調信号はＮR個のアンテナ１０５２ａ乃至１０５２ｒによって受信され、各アンテナ１０５２からの受信信号は、それぞれの受信機（ＲＣＶＲ）１０５４ａ乃至１０５４ｒに供給される。各受信機１０５４は、それぞれの信号を調整（たとえば、フィルタ処理、増幅、およびダウンコンバート）し、調整された信号をデジタル化してサンプルを与え、さらに、それらのサンプルを処理して、対応する「受信」シンボルストリームを与える。
【００７９】
ＲＸデータプロセッサ１０６０は、特定の受信機処理技法に基づいてＮR個の受信機１０５４からＮR個の受信シンボルストリームを受信し、処理して、ＮT個の「検出」シンボルストリームを供給する。ＲＸデータプロセッサ１０６０は、各検出シンボルストリームを復調し、デインタリーブし、復号して、データストリームのトラフィックデータを復元することができる。ＲＸデータプロセッサ１０６０による処理は、基地局１０１０においてＴＸ  ＭＩＭＯプロセッサ１０２０およびＴＸデータプロセッサ１０１４によって実行される処理を補足するものである。
【００８０】
プロセッサ１０７０は、上述のように、どのプリコーディング行列を利用すべきかを周期的に判断することができる。さらに、プロセッサ１０７０は、行列インデックス部分とランク値部分とを備える逆方向リンクメッセージを作成することができる。
【００８１】
逆方向リンクメッセージは、通信リンクおよび／または受信データストリームに関する様々なタイプの情報を備えることができる。逆方向リンクメッセージは、データソース１０３６からいくつかのデータストリームのトラフィックデータをも受信するＴＸデータプロセッサ１０３８によって処理され、変調器１０８０によって変調され、送信機１０５４ａ乃至１０５４ｒによって調整され、基地局１０１０に戻される。
【００８２】
基地局１０１０において、モバイルデバイス１０５０からの変調信号は、アンテナ１０２４によって受信され、受信機１０２２によって調整され、復調器１０４０によって復調され、ＲＸデータプロセッサ１０４２によって処理されて、モバイルデバイス１０５０によって送信された逆方向リンクメッセージが抽出される。さらに、プロセッサ１０３０は、抽出されたメッセージを処理して、ビームフォーミング重みを判断するためにどのプリコーディング行列を使用すべきかを判断することができる。
【００８３】
プロセッサ１０３０および１０７０は、それぞれ基地局１０１０およびモバイルデバイス１０５０における動作を指示（たとえば、制御、調整、管理など）することができる。それぞれのプロセッサ１０３０および１０７０は、プログラムコードおよびデータを記憶するメモリ１０３２および１０７２に関連付けできる。プロセッサ１０３０および１０７０はまた、それぞれ、アップリンクとダウンリンクとに関して周波数推定値とインパルス応答推定値とを導き出すために計算を実行することができる。
【００８４】
本明細書で説明する態様は、ハードウェア、ソフトウェア、ファームウェア、ミドルウェア、マイクロコード、またはそれらの任意の組合せで実装できることを理解されたい。ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せの中で実装できる。
【００８５】
態様は、ソフトウェア、ファームウェア、ミドルウェアまたはマイクロコード、プログラムコードまたはコードセグメントで実装した場合、記憶構成要素などの機械可読媒体に記憶できる。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合できる。情報、引数、パラメータ、データなどは、メモリ共有、メッセージパッシング、トークンパッシング、ネットワーク送信などを含む、適切な手段を使用してパス、転送、または送信することができる。
【００８６】
ソフトウェア実装の場合、本明細書で説明する技法は、本明細書で説明する機能を実行するモジュール（たとえば、プロシージャ、関数など）を用いて実装できる。ソフトウェアコードは、メモリユニットに記憶し、プロセッサによって実行することができる。メモリユニットは、プロセッサの内部またはプロセッサの外部に実装でき、その場合、当技術分野で知られているように様々な手段によってプロセッサに通信可能に結合できる。
【００８７】
図１１を参照すると、複数のＥＰＳベアラに対応するようにリレーｅＮＢ無線ベアラを選択することを可能にするシステム１１００が示されている。たとえば、システム１１００は、少なくとも部分的に基地局、モバイルデバイスなどの内部に常駐することができる。システム１１００は機能ブロックを含むものとして表されており、その機能ブロックは、プロセッサ、ソフトウェア、またはそれらの組合せ（たとえば、ファームウェア）によって実装される機能を表す機能ブロックとすることができることを了解されたい。システム１１００は、連携して動作することができる電気構成要素の論理グルーピング１１０２を含む。たとえば、論理グルーピング１１０２は、ワイヤレスネットワークにおいて初期化されたＥＰＳベアラに関するパラメータを備えるベアラセットアップ要求を受信するための電気構成要素１１０４を含むことができる。一例では、パラメータは、初期化、ＥＰＳベアラのためのＱＣＩなどの指示を含むことができる。さらに、論理グルーピング１１０２は、ＥＰＳベアラとの間でデータを通信することを可能にするためにダウンストリームリレーｅＮＢの無線ベアラを選択するための電気構成要素１１０６を含むことができる。一例では、説明したように、電気構成要素１１０６は、ベストエフォートマッチ、ＥＰＳベアラのＱＣＩなどに基づいて無線ベアラを選択することができる。さらに、論理グルーピング１１０２は、無線ベアラを使用してＥＰＳベアラを介して受信されたデータをダウンストリームリレーｅＮＢに送信するための電気構成要素１１０８を含むことができる。
【００８８】
さらに、論理グルーピング１１０２は、選択された無線ベアラの通知をダウンストリームリレーｅＮＢに通信するための電気構成要素１１１０を含むことができる。これは、説明したように、ベアラセットアップ要求メッセージなどの一部とすることができる。さらに、論理グルーピング１１０２は、ＥＰＳベアラへの選択された無線ベアラの関連付けを記憶するための電気構成要素１１１２を含むことができる。一例では、関連付けはルーティングテーブルに記憶でき、それを、電気構成要素１１０８が、ＥＰＳベアラデータを送信するために適切な無線ベアラを判断するために利用することができる。さらに、論理グルーピング１１０２は、ＥＰＳベアラとの関連付けのためにアップストリームｅＮＢによって選択されたローカルベアラの通知を受信するための電気構成要素１１１４を含むことができる。さらに、システム１１００は、電気構成要素１１０４、１１０６、１１０８、１１１０、１１１２、および１１１４に関連付けられた機能を実行するための命令を保持するメモリ１１１６を含むことができる。メモリ１１１６の外部にあるものとして示されているが、電気構成要素１１０４、１１０６、１１０８、１１１０、１１１２、および１１１４の１つまたは複数は、メモリ１１１６の内部に存在することができることを理解されたい。
【００８９】
図１２を参照すると、ローカル無線ベアラとＥＰＳベアラとの間の関連付けを受信するシステム１２００が示されている。たとえば、システム１２００は、少なくとも部分的に基地局、モバイルデバイスなどの内部に常駐することができる。システム１２００は機能ブロックを含むものとして表されており、その機能ブロックは、プロセッサ、ソフトウェア、またはそれらの組合せ（たとえば、ファームウェア）によって実装される機能を表す機能ブロックとすることができることを了解されたい。システム１２００は、連携して動作することができる電気構成要素の論理グルーピング１２０２を含む。たとえば、論理グルーピング１２０２は、ローカル無線ベアラへのＥＰＳベアラの関連付けを受信するための電気構成要素１２０４を含むことができる。説明したように、関連付けは、ローカル無線ベアラをＥＰＳベアラに関連付けるアップストリームｅＮＢから受信されること、ＥＰＳベアラの受信したＱＣＩに基づいて判断されることなどが可能である。さらに、論理グルーピング１２０２は、関連付けをルーティングテーブルに記憶するための電気構成要素１２０６を含むことができる。
【００９０】
一例では、関連付けは、後続のアップリンクパケットルーティングのために記憶できる。さらに、論理グルーピング１２０２は、ローカル無線ベアラを介してアップストリームｅＮＢからＥＰＳベアラに関係するデータを受信するための電気構成要素１２０８を含むことができる。さらに、論理グルーピング１２０２は、ＥＰＳベアラへの関連付けのためにダウンストリームｅＮＢの無線ベアラを選択するための電気構成要素１２１０を含むことができる。さらに、システム１２００は、電気構成要素１２０４、１２０６、１２０８、および１２１０に関連する機能を実行するための命令を保持するメモリ１２１２を含むことができる。メモリ１２１２の外部にあるものとして示されているが、電気構成要素１２０４、１２０６、１２０８、および１２１０の１つまたは複数は、メモリ１２１２の内部に存在することができることを理解されたい。
【００９１】
本明細書で開示した実施形態に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、またはその他のプログラマブル論理デバイス、個別ゲートまたはトランジスタロジック、個別ハードウェア構成要素、あるいは本明細書で説明した機能を実行するように設計されたそれらの任意の組合せを用いて実装または実行できる。汎用プロセッサはマイクロプロセッサとすることができるが、代替として、プロセッサは任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。さらに、少なくとも１つのプロセッサは、上述のステップおよび／またはアクションの１つまたは複数を実行するように動作可能な１つまたは複数のモジュールを備えることができる。
【００９２】
さらに、本明細書で開示された態様に関して説明した方法またはアルゴリズムのステップおよび／またはアクションは、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができる。例示的な記憶媒体は、プロセッサが記憶媒体から情報を読み取り、記憶媒体に情報を書き込むことができるようにプロセッサに結合される。代替として、記憶媒体はプロセッサに一体化することができる。さらに、いくつかの態様では、プロセッサおよび記憶媒体はＡＳＩＣ中に常駐することができる。さらに、ＡＳＩＣはユーザ端末中に常駐することができる。代替として、プロセッサおよび記憶媒体は、ユーザ端末内に個別構成要素として常駐することもできる。さらに、いくつかの態様では、方法またはアルゴリズムのステップおよび／またはアクションは、コンピュータプログラム製品に組み込むことができる、機械可読媒体および／またはコンピュータ可読媒体上のコードおよび／または命令の１つまたは任意の組合せ、あるいはそのセットとして常駐することができる。
【００９３】
１つまたは複数の態様では、説明する機能は、ハードウェア、ソフトウェア、ファームウェア、またはそれらの組合せで実装することができる。ソフトウェアで実装する場合、機能は、コンピュータ可読媒体上で１つまたは複数の命令またはコードとして記憶するか、あるいは送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または命令もしくはデータ構造の形態の所望のプログラムコードを担持または記憶するために使用でき、コンピュータによってアクセスできる任意の他の媒体を備えることができる。また、どんな接続でもコンピュータ可読媒体と呼ばれることがある。たとえば、ソフトウェアが、同軸ケーブル、光ファイバケーブル、ツイステッドペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイステッドペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【００９４】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。さらに、「含む（include）」という用語は、詳細な説明または特許請求の範囲のいずれかで使用される限り、「備える（comprising）」という用語を使用すると請求項における移行語と解釈されるように「備える（comprising）」と同様に包括的なものとする。さらに、説明した態様および／または態様の要素が単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。
以下に、本願出願の当初の特許請求の範囲に記載された発明を付記する。
［１］ワイヤレスネットワークにおいて初期化された発展型パケットシステム（ＥＰＳ）ベアラに関するパラメータを備えるベアラセットアップ要求を受信することと、
前記ＥＰＳベアラとの間でデータを通信することを可能にするためにダウンストリームリレー進化型ノードＢ（ｅＮＢ）の無線ベアラを選択することと、
前記無線ベアラを使用して、前記ＥＰＳベアラを介して受信されたデータを前記ダウンストリームリレーｅＮＢに送信することと
を備える、方法。
［２］前記選択された無線ベアラの通知を前記ダウンストリームリレーｅＮＢに送信することをさらに備える、［１］に記載の方法。
［３］前記通知を送信することは、ＲＲＣ接続再構成メッセージ中で前記通知を送信することを含む、［２］に記載の方法。
［４］前記ＥＰＳベアラへの前記選択された無線ベアラの関連付けを記憶することをさらに備える、［１］に記載の方法。
［５］前記無線ベアラを前記選択することは、ベストエフォートマッチに従って前記無線ベアラを選択することを含む、［１］に記載の方法。
［６］前記ＥＰＳベアラのサービス品質（ＱｏＳ）クラス識別子（ＱＣＩ）を受信することをさらに備え、前記無線ベアラを前記選択することは前記ＥＰＳベアラの前記ＱＣＩに少なくとも部分的に基づく、［１］に記載の方法。
［７］前記ＱＣＩを前記ダウンストリームリレーｅＮＢに与えることをさらに備える、［６］に記載の方法。
［８］前記ＥＰＳベアラとの関連付けのために、アップストリームｅＮＢによって選択されたローカル無線ベアラの通知を受信することをさらに備える、［１］に記載の方法。
［９］発展型パケットシステム（ＥＰＳ）ベアラに関係するパラメータを含むベアラセットアップ要求を取得することと、
前記ＥＰＳベアラとの関連付けのために、ダウンストリーム進化型ノードＢ（ｅＮＢ）の無線ベアラを選択することと、
前記ＥＰＳベアラを介して受信されたデータを、前記無線ベアラを介して前記ダウンストリームｅＮＢに送信することと
を行うように構成された少なくとも１つのプロセッサと、
前記少なくとも１つのプロセッサに結合されたメモリと
を備える、ワイヤレス通信装置。
［１０］前記少なくとも１つのプロセッサは、前記無線ベアラのための識別子を前記ダウンストリームｅＮＢに送信するようにさらに構成された、［９］に記載のワイヤレス通信装置。
［１１］前記少なくとも１つのプロセッサは、ＲＲＣ接続再構成メッセージ中で前記識別子を送信する、［１０］に記載のワイヤレス通信装置。
［１２］前記少なくとも１つのプロセッサは、前記選択された無線ベアラと前記ＥＰＳベアラとの間の後続のパケットルーティングのために、前記ＥＰＳベアラへの前記選択された無線ベアラの関連付けを記憶するようにさらに構成された、［９］に記載のワイヤレス通信装置。
［１３］前記少なくとも１つのプロセッサは、ベストエフォートマッチに従って前記ダウンストリームｅＮＢの前記無線ベアラを選択する、［９］に記載のワイヤレス通信装置。
［１４］前記少なくとも１つのプロセッサは、前記ＥＰＳベアラのサービス品質（ＱｏＳ）クラス識別子（ＱＣＩ）を受信するようにさらに構成され、前記少なくとも１つのプロセッサは、前記ＥＰＳベアラの前記ＱＣＩに少なくとも部分的に基づいて前記無線ベアラを選択する、［９］に記載のワイヤレス通信装置。
［１５］前記少なくとも１つのプロセッサは、前記ＱＣＩを前記ダウンストリームｅＮＢに与えるようにさらに構成された、［１４］に記載のワイヤレス通信装置。
［１６］前記少なくとも１つのプロセッサは、前記ＥＰＳベアラとの関連付けのために、アップストリームｅＮＢによって選択されたローカル無線ベアラの通知を受信するようにさらに構成された、［９］に記載のワイヤレス通信装置。
［１７］ワイヤレスネットワークにおいて初期化された発展型パケットシステム（ＥＰＳ）ベアラに関するパラメータを備えるベアラセットアップ要求を受信するための手段と、
前記ＥＰＳベアラとの間でデータを通信することを可能にするためにダウンストリームリレー進化型ノードＢ（ｅＮＢ）の無線ベアラを選択するための手段と、
前記無線ベアラを使用して、前記ＥＰＳベアラを介して受信されたデータを前記ダウンストリームリレーｅＮＢに送信するための手段と
を備える、装置。
［１８］前記選択された無線ベアラの通知を前記ダウンストリームリレーｅＮＢに通信するための手段をさらに備える、［１７］に記載の装置。
［１９］前記通知を通信するための前記手段は、ＲＲＣ接続再構成メッセージ中で前記通知を送信する、［１８］に記載の装置。
［２０］前記ＥＰＳベアラへの前記選択された無線ベアラの関連付けを記憶するための手段をさらに備える、［１７］に記載の装置。
［２１］選択するための前記手段は、ベストエフォートマッチに従って前記無線ベアラを選択する、［１７］に記載の装置。
［２２］前記ベアラセットアップ要求を受信するための前記手段は、前記ベアラセットアップ要求中の前記ＥＰＳベアラのサービス品質（ＱｏＳ）クラス識別子（ＱＣＩ）をさらに受信し、選択するための前記手段は、前記ＥＰＳベアラの前記ＱＣＩに少なくとも部分的に基づいて前記無線ベアラを選択する、［１７］に記載の装置。
［２３］前記ＱＣＩを前記ダウンストリームリレーｅＮＢに与えるための手段をさらに備える、請求項２２に記載の装置。
［２４］前記ＥＰＳベアラとの関連付けのために、アップストリームｅＮＢによって選択されたローカルベアラの通知を受信するための手段をさらに備える、［１７］に記載の装置。
［２５］少なくとも１つのコンピュータに、ワイヤレスネットワークにおいて初期化された発展型パケットシステム（ＥＰＳ）ベアラに関するパラメータを備えるベアラセットアップ要求を受信させるためのコードと、
前記少なくとも１つのコンピュータに、前記ＥＰＳベアラとの間でデータを通信することを可能にするためにダウンストリームリレー進化型ノードＢ（ｅＮＢ）の無線ベアラを選択させるためのコードと、
前記少なくとも１つのコンピュータに、前記無線ベアラを使用して、前記ＥＰＳベアラを介して受信されたデータを前記ダウンストリームリレーｅＮＢに送信させるためのコードと
を備える、コンピュータ可読媒体
を備える、コンピュータプログラム製品。
［２６］前記コンピュータ可読媒体が、前記少なくとも１つのコンピュータに、前記選択された無線ベアラの通知を前記ダウンストリームリレーｅＮＢに送信させるためのコードをさらに備える、［２５］に記載のコンピュータプログラム製品。
［２７］前記少なくとも１つのコンピュータに前記通知を送信させるための前記コードは、ＲＲＣ接続再構成メッセージ中で前記通知を送信する、［２６］に記載のコンピュータプログラム製品。
［２８］前記コンピュータ可読媒体は、前記少なくとも１つのコンピュータに、前記ＥＰＳベアラへの前記選択された無線ベアラの関連付けを記憶させるためのコードをさらに備える、［２５］に記載のコンピュータプログラム製品。
［２９］前記少なくとも１つのコンピュータに前記無線ベアラを選択させるための前記コードは、ベストエフォートマッチに従って前記無線ベアラを選択する、［２５］に記載のコンピュータプログラム製品。
［３０］前記コンピュータ可読媒体は、前記少なくとも１つのコンピュータに、前記ＥＰＳベアラのサービス品質（ＱｏＳ）クラス識別子（ＱＣＩ）を受信させるためのコードをさらに備え、前記少なくとも１つのコンピュータに前記無線ベアラを選択させるための前記コードは、前記ＥＰＳベアラの前記ＱＣＩに少なくとも部分的に基づいて前記無線ベアラを選択する、［２５］に記載のコンピュータプログラム製品。
［３１］前記コンピュータ可読媒体は、前記少なくとも１つのコンピュータに、前記ＱＣＩを前記ダウンストリームリレーｅＮＢに与えさせるためのコードをさらに備える、［３０］に記載のコンピュータプログラム製品。
［３２］前記コンピュータ可読媒体は、前記少なくとも１つのコンピュータに、前記ＥＰＳベアラとの関連付けのために、アップストリームｅＮＢによって選択されたローカル無線ベアラの通知を受信させるためのコードをさらに備える、［２５］に記載のコンピュータプログラム製品。
［３３］ワイヤレスネットワークにおいて初期化された発展型パケットシステム（ＥＰＳ）ベアラに関するパラメータを備えるベアラセットアップ要求を受信するバックホールリンク構成要素と、
前記ＥＰＳベアラとの間でデータを通信することを可能にするためにダウンストリームリレー進化型ノードＢ（ｅＮＢ）の無線ベアラを選択するリレーベアラ選択構成要素と、
前記無線ベアラを使用して、前記ＥＰＳベアラを介して受信されたデータを前記ダウンストリームリレーｅＮＢに送信するベアラ通信構成要素と
を備える、装置。
［３４］前記選択された無線ベアラの通知を前記ダウンストリームリレーｅＮＢに通信するベアラ選択通知構成要素をさらに備える、［３３］に記載の装置。
［３５］前記ベアラ通信構成要素は、ＲＲＣ接続再構成メッセージ中で前記通知を送信する、［３４］に記載の装置。
［３６］前記ＥＰＳベアラへの前記選択された無線ベアラの関連付けを記憶するベアラマッピング構成要素をさらに備える、［３３］に記載の装置。
［３７］前記リレーベアラ選択構成要素が、ベストエフォートマッチに従って前記無線ベアラを選択する、［３３］に記載の装置。
［３８］前記バックホールリンク構成要素は、前記ベアラセットアップ要求中の前記ＥＰＳベアラのサービス品質（ＱｏＳ）クラス識別子（ＱＣＩ）をさらに受信し、前記リレーベアラ選択構成要素は、前記ＥＰＳベアラの前記ＱＣＩに少なくとも部分的に基づいて前記無線ベアラを選択する、［３３］に記載の装置。
［３９］前記ＱＣＩを前記ダウンストリームリレーｅＮＢに与えるベアラ選択通知構成要素をさらに備える、［３８］に記載の装置。
［４０］前記ＥＰＳベアラとの関連付けのために、アップストリームｅＮＢによって選択されたローカルベアラの通知を取得するベアラ選択受信構成要素をさらに備える、［３３］に記載の装置。
［４１］ローカル無線ベアラへの発展型パケットシステム（ＥＰＳ）ベアラの関連付けを受信することと、
前記関連付けをルーティングテーブルに記憶することと、
前記ローカル無線ベアラを介して、アップストリーム進化型ノードＢ（ｅＮＢ）から前記ＥＰＳベアラに関係するデータを受信することと
を備える、方法。
［４２］前記関連付けを前記受信することは、前記アップストリームｅＮＢから前記関連付けを受信することを含む、［４１］に記載の方法。
［４３］前記関連付けとともに、前記アップストリームｅＮＢから前記ＥＰＳベアラに関係する識別子の一部分を受信することをさらに備える、［４２］に記載の方法。
［４４］前記関連付けを前記記憶することは、前記ローカル無線ベアラのインデックスとともに前記識別子の前記一部分を記憶することを含む、［４３］に記載の方法。
［４５］前記アップストリームｅＮＢから前記関連付けを前記受信することは、ＲＲＣ接続再構成メッセージ中で前記関連付けを受信することを含む、［４２］に記載の方法。
［４６］前記ＥＰＳベアラに関係するサービス品質（ＱｏＳ）クラス識別子（ＱＣＩ）を受信することをさらに備え、前記関連付けを前記受信することは、前記ＥＰＳベアラの前記ＱＣＩに少なくとも部分的に基づいて前記関連付けを判断することを含む、［４１］に記載の方法。
［４７］前記ＥＰＳベアラへの関連付けのために、ダウンストリームｅＮＢの無線ベアラを選択することをさらに備える、［４１］に記載の方法。
［４８］前記ＥＰＳベアラを直接接続されたユーザ機器（ＵＥ）の無線ベアラに関連付けることをさらに備え、前記ＥＰＳベアラと前記ローカル無線ベアラとの間の前記関連付けを前記受信することは、前記直接接続されたＵＥから受信された要求に少なくとも部分的に基づく、［４１］に記載の方法。
［４９］ローカル無線ベアラへの発展型パケットシステム（ＥＰＳ）ベアラの関連付けを取得することと、
後続のパケットルーティングのために、前記関連付けをルーティングテーブルに記憶することと、
前記ローカル無線ベアラを介して、前記ＥＰＳベアラに関係するアップストリーム進化型ノードＢ（ｅＮＢ）からデータを受信することと
を行うように構成された少なくとも１つのプロセッサと、
前記少なくとも１つのプロセッサに結合されたメモリと
を備える、ワイヤレス通信装置。
［５０］前記少なくとも１つのプロセッサは前記アップストリームｅＮＢから前記関連付けを取得する、［４９］に記載のワイヤレス通信装置。
［５１］前記少なくとも１つのプロセッサは、前記関連付けとともに、前記ＥＰＳベアラに関係する識別子の一部分を受信するようにさらに構成された、［５０］に記載のワイヤレス通信装置。
［５２］前記少なくとも１つのプロセッサは、前記関連付けとともに、前記識別子を前記ルーティングテーブルに記憶するようにさらに構成された、［５１］に記載のワイヤレス通信装置。
［５３］前記少なくとも１つのプロセッサは、ＲＲＣ接続再構成メッセージ中で、前記アップストリームｅＮＢから前記関連付けを受信する、［５０］に記載のワイヤレス通信装置。
［５４］前記少なくとも１つのプロセッサは、前記ＥＰＳベアラのサービス品質（ＱｏＳ）クラス識別子（ＱＣＩ）を受信するようにさらに構成され、前記少なくとも１つのプロセッサは、ローカル無線ベアラへのＱＣＩの静的マッピングにおいて前記ＱＣＩに関係する前記ローカル無線ベアラを判断したことに少なくとも部分的に基づいて、前記関連付けを取得する、［４９］に記載のワイヤレス通信装置。
［５５］前記少なくとも１つのプロセッサは、前記ＥＰＳベアラへの関連付けのためにダウンストリームｅＮＢの無線ベアラを選択するようにさらに構成された、［４９］に記載のワイヤレス通信装置。
［５６］前記少なくとも１つのプロセッサは、前記ＥＰＳベアラを直接接続されたユーザ機器（ＵＥ）の無線ベアラに関連付けるようにさらに構成され、前記少なくとも１つのプロセッサは、前記直接接続されたＵＥからの要求に少なくとも部分的に基づいて前記関連付けを取得する、［４９］に記載のワイヤレス通信装置。
［５７］ローカル無線ベアラへの発展型パケットシステム（ＥＰＳ）ベアラの関連付けを受信するための手段と、
前記関連付けをルーティングテーブルに記憶するための手段と、
前記ローカル無線ベアラを介して、アップストリーム進化型ノードＢ（ｅＮＢ）から前記ＥＰＳベアラに関係するデータを受信するための手段と
を備える、装置。
［５８］前記関連付けを受信するための前記手段は、前記アップストリームｅＮＢから前記関連付けを受信する、［５７］に記載の装置。
［５９］前記関連付けを受信するための前記手段は、前記ＥＰＳベアラに関係する識別子をさらに受信する、［５８］に記載の装置。
［６０］前記関連付けを記憶するための前記手段は、前記関連付けとともに、前記ＥＰＳベアラに関係する前記識別子を記憶する、［５９］に記載の装置。
［６１］前記関連付けを受信するための前記手段は、ＲＲＣ接続再構成メッセージ中で前記関連付けを受信する、［５８］に記載の装置。
［６２］前記関連付けを受信するための前記手段は、前記ＥＰＳベアラに関係する受信された（ＱｏＳ）クラス識別子（ＱＣＩ）に基づいて前記関連付けを判断する、［５７］に記載の装置。
［６３］前記ＥＰＳベアラへの関連付けのために、ダウンストリームｅＮＢの無線ベアラを選択するための手段をさらに備える、［５７］に記載の装置。
［６４］前記関連付けを受信するための前記手段は、前記装置と直接通信しているユーザ機器（ＵＥ）からの要求に少なくとも部分的に基づいて前記関連付けを受信する、［５７］に記載の装置。
［６５］少なくとも１つのコンピュータに、ローカル無線ベアラへの発展型パケットシステム（ＥＰＳ）ベアラの関連付けを受信させるためのコードと、
前記少なくとも１つのコンピュータに、前記関連付けをルーティングテーブルに記憶させるためのコードと、
前記少なくとも１つのコンピュータに、前記ローカル無線ベアラを介して、アップストリーム進化型ノードＢ（ｅＮＢ）から前記ＥＰＳベアラに関係するデータを受信させるためのコードと
を備える、コンピュータ可読媒体
を備える、コンピュータプログラム製品。
［６６］前記少なくとも１つのコンピュータに前記関連付けを受信させるための前記コードは前記アップストリームｅＮＢから前記関連付けを受信する、［６５］に記載のコンピュータプログラム製品。
［６７］前記コンピュータ可読媒体は、前記少なくとも１つのコンピュータに、前記関連付けとともに、前記アップストリームｅＮＢから前記ＥＰＳベアラに関係する識別子の一部分を受信させるためのコードをさらに備える、［６６］に記載のコンピュータプログラム製品。
［６８］前記少なくとも１つのコンピュータに前記関連付けを記憶させるための前記コードは、前記ローカル無線ベアラのインデックスとともに前記識別子の前記一部分を記憶する、［６７］に記載のコンピュータプログラム製品。
［６９］前記少なくとも１つのコンピュータに前記アップストリームｅＮＢから前記関連付けを受信させるための前記コードは、ＲＲＣ接続再構成メッセージ中で前記関連付けを受信する、［６６］に記載のコンピュータプログラム製品。
［７０］前記コンピュータ可読媒体は、前記少なくとも１つのコンピュータに、前記ＥＰＳベアラに関係するサービス品質（ＱｏＳ）クラス識別子（ＱＣＩ）を受信させるためのコードをさらに備え、前記少なくとも１つのコンピュータに前記関連付けを受信させるための前記コードは、前記ＥＰＳベアラの前記ＱＣＩに少なくとも部分的に基づいて前記関連付けを判断する、［６５］に記載のコンピュータプログラム製品。
［７１］前記コンピュータ可読媒体は、前記少なくとも１つのコンピュータに、前記ＥＰＳベアラへの関連付けのためにダウンストリームｅＮＢの無線ベアラを選択させるためのコードをさらに備える、［６５］に記載のコンピュータプログラム製品。
［７２］前記コンピュータ可読媒体は、前記少なくとも１つのコンピュータに、前記ＥＳＰベアラを直接接続されたユーザ機器（ＵＥ）の無線ベアラに関連付けさせるためのコードをさらに備え、前記少なくとも１つのコンピュータに前記ＥＰＳベアラと前記ローカル無線ベアラとの間の前記関連付けを受信させるための前記コードは、前記直接接続されたＵＥから受信された要求に少なくとも部分的に基づいて前記関連付けを受信する、［６５］に記載のコンピュータプログラム製品。
［７３］ローカル無線ベアラへの発展型パケットシステム（ＥＰＳ）ベアラの関連付けを受信するベアラ選択受信構成要素と、
前記関連付けをルーティングテーブルに記憶するＥＰＳベアラマッピング構成要素と、
前記ローカル無線ベアラを介して、アップストリーム進化型ノードＢ（ｅＮＢ）から前記ＥＰＳベアラに関係するデータを受信するベアラ通信構成要素と
を備える、装置。
［７４］前記ベアラ選択受信構成要素は、前記アップストリームｅＮＢから前記関連付けを受信する、［７３］に記載の装置。
［７５］前記ベアラ選択受信構成要素は、前記ＥＰＳベアラに関係する識別子をさらに受信する、［７４］に記載の装置。
［７６］前記ＥＰＳベアラマッピング構成要素は、前記関連付けとともに、前記ＥＰＳベアラに関係する前記識別子を記憶する、［７５］に記載の装置。
［７７］前記ベアラ選択受信構成要素は、ＲＲＣ接続再構成メッセージ中で前記関連付けを受信する、［７４］に記載の装置。
［７８］前記ベアラ選択受信構成要素は、前記ＥＰＳベアラに関係する受信された（ＱｏＳ）クラス識別子（ＱＣＩ）に基づいて前記関連付けを見分けるＥＰＳクラス判断構成要素である、［７３］に記載の装置。
［７９］前記ＥＰＳベアラへの関連付けのために、ダウンストリームｅＮＢの無線ベアラを選択するリレーベアラ選択構成要素をさらに備える、［７３］に記載の装置。
［８０］前記ベアラ通信構成要素は、前記装置と直接通信しているユーザ機器（ＵＥ）からの要求に少なくとも部分的に基づいて前記関連付けを受信する、［７３］に記載の装置。
【図１】
0005209796.tif 000005
【図２】
0005209796.tif 000006
【図３】
0005209796.tif 000007
【図４】
0005209796.tif 000008
【図５】
0005209796.tif 000009
【図６】
0005209796.tif 000010
【図７】
0005209796.tif 000011
【図８】
0005209796.tif 000012
【図９】
0005209796.tif 000013
【図１０】
0005209796.tif 000014
【図１１】
0005209796.tif 000015
【図１２】
0005209796.tif 000016